(57)【要約】【課題】多帯域ＲＦ信号ルーティングのための装置および方法を提供する。【解決手段】ある構成では、モバイル装置は、アンテナスイッチモジュールと、ダイバーシティモジュールと、１つ以上のダイバーシティアンテナとを含む。ダイバーシティモジュールは１つ以上のダイバーシティアンテナに電気的に結合されており、１つ以上のダイバーシティアンテナ上で受信されたダイバーシティ信号を処理して、高帯域（ＨＢ）信号、中帯域（ＭＢ）信号、および低帯域（ＬＢ）信号を生成する。加えて、ダイバーシティモジュールは、ＬＢ信号とＨＢ信号とを組合せることに基づいて組合せＬＢ／ＨＢ信号を生成し、ＭＢ信号および組合せＬＢ／ＨＢ信号をアンテナスイッチモジュールに提供する。【選択図】図２
2015208007.tif 000002
【特許請求の範囲】
【請求項１】
モバイル装置であって、
少なくとも１つのダイバーシティアンテナと、
少なくとも１つのダイバーシティアンテナに電気的に結合されたダイバーシティモジュールとを含み、ダイバーシティモジュールは、少なくとも１つのダイバーシティアンテナから受信された１つ以上のダイバーシティ信号を処理することに基づいて、高帯域（ＨＢ）信号、中帯域（ＭＢ）信号、および低帯域（ＬＢ）信号を生成するように構成されており、ＨＢ信号は、ＭＢ信号の周波数成分よりも大きい周波数成分を有し、ＭＢ信号は、ＬＢ信号の周波数成分よりも大きい周波数成分を有し、ダイバーシティモジュールはさらに、ＬＢ信号とＨＢ信号とを組合せることに基づいて、組合せＬＢ／ＨＢ信号を生成するように構成されており、前記モバイル装置はさらに、
ダイバーシティモジュールからＭＢ信号および組合せＬＢ／ＨＢ信号を受信するように構成されたアンテナスイッチモジュールを含む、モバイル装置。
【請求項２】
ＬＢ信号の周波数成分は１ＧＨｚ未満であり、ＭＢ信号の周波数成分は１ＧＨｚ〜２．３ＧＨｚであり、ＨＢ信号の周波数成分は２．３ＧＨｚよりも大きい、請求項１に記載のモバイル装置。
【請求項３】
送受信機と、１つ以上の一次アンテナとをさらに含み、送受信機は、アンテナスイッチモジュールを介して１つ以上の一次アンテナに電気的に結合されている、請求項１に記載のモバイル装置。
【請求項４】
ダイバーシティモジュールは、ＬＢ信号およびＨＢ信号に基づいて組合せＬＢ／ＨＢ信号を生成するように構成されたダイプレクサを含む、請求項１に記載のモバイル装置。
【請求項５】
ダイバーシティモジュールは、ＬＢ信号を生成するように構成されたＬＢ処理回路と、ＭＢ信号を生成するように構成されたＭＢ処理回路と、ＨＢ信号を生成するように構成されたＨＢ処理回路とを含む、請求項１に記載のモバイル装置。
【請求項６】
ＬＢ処理回路は、カスケードに配置された第１のフィルタと第１のＬＮＡとを含み、ＭＢ処理回路は、カスケードに配置された第２のフィルタと第２のＬＮＡとを含み、ＨＢ処理回路は、カスケードに配置された第３のフィルタと第３のＬＮＡとを含む、請求項５に記載のモバイル装置。
【請求項７】
組合せＭＢ／ＨＢダイバーシティ信号を受信するように構成されたダイバーシティアンテナ端子と、
ダイバーシティアンテナ端子に電気的に結合された入力、ＭＢ処理回路の入力に電気的に結合された第１の出力、およびＨＢ処理回路の入力に電気的に結合された第２の出力を含む、帯域選択スイッチとをさらに含む、請求項５に記載のモバイル装置。
【請求項８】
モバイル装置におけるフロントエンド信号処理の方法であって、前記方法は、
少なくとも１つのダイバーシティアンテナから、１つ以上のダイバーシティ信号を受信するステップと、
ダイバーシティモジュールを使用して１つ以上のダイバーシティ信号を処理することに基づいて、高帯域（ＨＢ）信号、中帯域（ＭＢ）信号、および低帯域（ＬＢ）信号を生成するステップとを含み、ＨＢ信号は、ＭＢ信号の周波数成分よりも大きい周波数成分を有し、ＭＢ信号は、ＬＢ信号の周波数成分よりも大きい周波数成分を有し、前記方法はさらに、
ダイバーシティモジュールを使用してＬＢ信号とＨＢ信号とを組合せることに基づいて、組合せＬＢ／ＨＢ信号を生成するステップと、
第１の信号ルートを通して、ＭＢ信号をアンテナスイッチモジュールに提供するステップと、
第２の信号ルートを通して、組合せＬＢ／ＨＢ信号をアンテナスイッチモジュールに提供するステップとを含む、方法。
【請求項９】
ＬＢ信号の周波数成分は１ＧＨｚ未満であり、ＭＢ信号の周波数成分は１ＧＨｚ〜２．３ＧＨｚであり、ＨＢ信号の周波数成分は２．３ＧＨｚよりも大きい、請求項８に記載の方法。
【請求項１０】
少なくとも１つの一次アンテナから１つ以上の一次信号を受信するステップと、１つ以上の一次信号をアンテナスイッチモジュールに提供するステップとをさらに含む、請求項８に記載の方法。
【請求項１１】
組合せＬＢ／ＨＢ信号を生成するステップは、ダイプレクサを使用してＬＢ信号とＨＢ信号とを組合せるステップを含む、請求項８に記載の方法。
【請求項１２】
モバイル装置のためのダイバーシティモジュールであって、前記ダイバーシティモジュールは、
１つ以上のダイバーシティ信号を処理することに基づいて低帯域（ＬＢ）信号を生成するように構成されたＬＢ処理回路と、
１つ以上のダイバーシティ信号を処理することに基づいて中帯域（ＭＢ）信号を生成するように構成されたＭＢ処理回路とを含み、ＭＢ信号は、ＬＢ信号の周波数成分よりも大きい周波数成分を有し、前記ダイバーシティモジュールはさらに、
１つ以上のダイバーシティ信号を処理することに基づいて高帯域（ＨＢ）信号を生成するように構成されたＨＢ処理回路を含み、ＨＢ信号は、ＭＢ信号の周波数成分よりも大きい周波数成分を有し、前記ダイバーシティモジュールはさらに、
ＭＢ信号を受信するように構成されたＭＢ端子と、
共有ＬＢ／ＨＢ端子と、
共有ＬＢ／ＨＢ端子に電気的に結合された多投スイッチとを含み、多投スイッチは、第１の状態ではＬＢ信号を共有ＬＢ／ＨＢ端子に提供し、第２の状態ではＨＢ信号を共有ＬＢ／ＨＢ端子に提供するように構成されている、ダイバーシティモジュール。
【請求項１３】
ＬＢ信号の周波数成分は１ＧＨｚ未満であり、ＭＢ信号の周波数成分は１ＧＨｚ〜２．３ＧＨｚであり、ＨＢ信号の周波数成分は２．３ＧＨｚよりも大きい、請求項１２に記載のダイバーシティモジュール。
【請求項１４】
ＬＢ信号とＨＢ信号とを組合せて、組合せＬＢ／ＨＢ信号を生成するように構成されたダイプレクサをさらに含み、多投スイッチは、第３の状態では組合せＬＢ／ＨＢ信号を共有ＬＢ／ＨＢ端子に提供するように構成されている、請求項１２に記載のダイバーシティモジュール。
【請求項１５】
ＨＢ処理回路の出力とダイプレクサの第１の入力との間に電気的に結合された第１のスイッチと、ＬＢ処理回路の出力とダイプレクサの第２の入力との間に電気的に結合された第２のスイッチとをさらに含む、請求項１４に記載のダイバーシティモジュール。
【請求項１６】
第１および第２のスイッチは、多投スイッチが第３の状態で動作する場合には閉じ、多投スイッチが第１または第２の状態で動作する場合には開くように構成されている、請求項１５に記載のダイバーシティモジュール。
【請求項１７】
ＬＢ処理回路は、カスケードに配置された第１のフィルタと第１のＬＮＡとを含み、ＭＢ処理回路は、カスケードに配置された第２のフィルタと第２のＬＮＡとを含み、ＨＢ処理回路は、カスケードに配置された第３のフィルタと第３のＬＮＡとを含む、請求項１２に記載のダイバーシティモジュール。
【請求項１８】
ＬＢダイバーシティ信号を受信するように構成された第１のダイバーシティアンテナ端子をさらに含み、第１のダイバーシティアンテナ端子は、ＬＢ処理回路の入力に電気的に結合されている、請求項１２に記載のダイバーシティモジュール。
【請求項１９】
組合せＭＢ／ＨＢダイバーシティ信号を受信するように構成された第２のダイバーシティアンテナ端子と、
第２のダイバーシティアンテナ端子に電気的に結合された入力、ＭＢ処理回路の入力に電気的に結合された第１の出力、およびＨＢ処理回路の入力に電気的に結合された第２の出力を含む、帯域選択スイッチとをさらに含む、請求項１８に記載のダイバーシティモジュール。
【請求項２０】
ＬＢ処理回路は、異なる周波数範囲を有する複数の低帯域フィルタを含み、ＭＢ処理回路は、異なる周波数範囲を有する複数の中帯域フィルタを含み、ＨＢ処理回路は、異なる周波数範囲を有する複数の高帯域フィルタを含む、請求項１２に記載のダイバーシティモジュール。
【請求項２１】
モバイル装置のためのダイバーシティモジュールであって、前記ダイバーシティモジュールは、
第１のアンテナ側多投スイッチと、
第２のアンテナ側多投スイッチと、
第１の送受信機側多投スイッチと、
第２の送受信機側多投スイッチと、
低帯域（ＬＢ）信号を生成するように構成されたＬＢ処理回路とを含み、ＬＢ処理回路は、第１のアンテナ側多投スイッチと第１の送受信機側多投スイッチとの間の第１の信号経路において電気的に結合されており、前記ダイバーシティモジュールはさらに、
ＬＢ信号の周波数成分よりも大きい周波数成分を有する中帯域（ＭＢ）信号を生成するように構成されたＭＢ処理回路を含み、ＭＢ処理回路は、第２のアンテナ側多投スイッチと第２の送受信機側多投スイッチとの間の第２の信号経路において電気的に結合されており、前記ダイバーシティモジュールはさらに、
ＭＢ信号の周波数成分よりも大きい周波数成分を有する高帯域（ＨＢ）信号を生成するように構成されたＨＢ処理回路を含み、ＨＢ処理回路は、第２のアンテナ側多投スイッチと第１の送受信機側多投スイッチとの間の第３の信号経路において電気的に結合されている、ダイバーシティモジュール。
【請求項２２】
ＬＢ信号の周波数成分は１ＧＨｚ未満であり、ＭＢ信号の周波数成分は１ＧＨｚ〜２．３ＧＨｚであり、ＨＢ信号の周波数成分は２．３ＧＨｚよりも大きい、請求項２１に記載のダイバーシティモジュール。
【請求項２３】
ダイバーシティモジュールはさらに、第１の送受信機側多投スイッチと第１のアンテナ側多投スイッチとの間の第１の送信バイパス経路と、第２の送受信機側多投スイッチと第２のアンテナ側多投スイッチとの間の第２の送信バイパス経路とを含む、請求項２１に記載のダイバーシティモジュール。
【請求項２４】
ダイバーシティモジュールは、通常動作モードおよびスワップモードを含む複数のモードで動作可能であり、第１の送受信機側多投スイッチおよび第１のアンテナ側多投スイッチは、スワップモードで、第１の送信バイパス経路を選択するように構成されており、第２の送受信機側多投スイッチおよび第２のアンテナ側多投スイッチは、スワップモードで、第２の送信バイパス経路を選択するように構成されている、請求項２３に記載のダイバーシティモジュール。
【請求項２５】
第１のアンテナ側多投スイッチに電気的に結合された第１のダイバーシティアンテナ端子と、第２のアンテナ側多投スイッチに電気的に結合された第２のダイバーシティアンテナ端子と、第１の送受信機側多投スイッチに電気的に結合された第１の双方向端子と、第２の送受信機側多投スイッチに電気的に結合された第２の双方向端子とをさらに含む、請求項２１に記載のダイバーシティモジュール。
【請求項２６】
ダイバーシティモジュールは、通常動作モードおよびスワップモードを含む複数のモードで動作可能であり、第１の送受信機側多投スイッチは、通常動作モードで、ＬＢ信号またはＨＢ信号のいずれかを第１の双方向端子に提供するように構成されており、第２の送受信機側多投スイッチは、通常動作モードで、ＭＢ信号を第２の双方向端子に提供するように構成されている、請求項２５に記載のダイバーシティモジュール。
【請求項２７】
第１の送受信機側多投スイッチおよび第１のアンテナ側多投スイッチは、スワップモードで、第１の双方向端子を、第１の送信バイパス経路を介して第１のダイバーシティアンテナ端子に電気的に結合するように構成されており、第２の送受信機側多投スイッチおよび第２のアンテナ側多投スイッチは、スワップモードで、第２の双方向端子を、第２の送信バイパス経路を介して第２のダイバーシティアンテナ端子に電気的に結合するように構成されている、請求項２６に記載のダイバーシティモジュール。
【請求項２８】
ＬＢ処理回路は、カスケードに配置された第１のフィルタと第１のＬＮＡとを含み、ＭＢ処理回路は、カスケードに配置された第２のフィルタと第２のＬＮＡとを含み、ＨＢ処理回路は、カスケードに配置された第３のフィルタと第３のＬＮＡとを含む、請求項２１に記載のダイバーシティモジュール。
【請求項２９】
モバイル装置であって、
送受信機と、
アンテナスイッチモジュールと、
少なくとも１つのダイバーシティアンテナと、
送受信機側とアンテナ側とを含むダイバーシティモジュールとを含み、前記ダイバーシティモジュールは、送受信機側でアンテナスイッチモジュールを介して送受信機に電気的に結合され、アンテナ側で少なくとも１つのダイバーシティアンテナに電気的に結合されており、前記ダイバーシティモジュールは、第１のアンテナ側多投スイッチと、第２のアンテナ側多投スイッチと、第１の送受信機側多投スイッチと、第２の送受信機側多投スイッチと、低帯域（ＬＢ）処理回路と、中帯域（ＭＢ）処理回路と、高帯域（ＨＢ）処理回路とを含み、ＬＢ処理回路は、第１のアンテナ側多投スイッチと第１の送受信機側多投スイッチとの間の第１の信号経路において電気的に結合されており、ＭＢ処理回路は、第２のアンテナ側多投スイッチと第２の送受信機側多投スイッチとの間の第２の信号経路において電気的に結合されており、ＨＢ処理回路は、第２のアンテナ側多投スイッチと第１の送受信機側多投スイッチとの間の第３の信号経路において電気的に結合されている、モバイル装置。
【請求項３０】
ＬＢ処理回路は、少なくとも１つのダイバーシティアンテナから受信された１つ以上のダイバーシティ信号を処理することに基づいて、ＬＢ信号を生成するように構成されており、ＭＢ処理回路は、１つ以上のダイバーシティ信号を処理することに基づいて、ＬＢ信号の周波数成分よりも大きい周波数成分を有するＭＢ信号を生成するように構成されており、ＨＢ処理回路は、１つ以上のダイバーシティ信号を処理することに基づいて、ＭＢ信号の周波数成分よりも大きい周波数成分を有するＨＢ信号を生成するように構成されている、請求項２９に記載のモバイル装置。
【請求項３１】
ＬＢ信号の周波数成分は１ＧＨｚ未満であり、ＭＢ信号の周波数成分は１ＧＨｚ〜２．３ＧＨｚであり、ＨＢ信号の周波数成分は２．３ＧＨｚよりも大きい、請求項３０に記載のモバイル装置。
【請求項３２】
ダイバーシティモジュールはさらに、第１の送受信機側多投スイッチと第１のアンテナ側多投スイッチとの間の第１の送信バイパス経路と、第２の送受信機側多投スイッチと第２のアンテナ側多投スイッチとの間の第２の送信バイパス経路とを含む、請求項２９に記載のモバイル装置。
【請求項３３】
ダイバーシティモジュールは、通常動作モードおよびスワップモードを含む複数のモードで動作可能であり、第１の送受信機側多投スイッチおよび第１のアンテナ側多投スイッチは、スワップモードで、第１の送信バイパス経路を選択するように構成されており、第２の送受信機側多投スイッチおよび第２のアンテナ側多投スイッチは、スワップモードで、第２の送信バイパス経路を選択するように構成されている、請求項３２に記載のモバイル装置。
【請求項３４】
第１の送受信機側多投スイッチは、通常動作モードで、ＨＢ処理回路の出力またはＬＢ処理回路の出力を選択するように構成されており、第２の送受信機側多投スイッチは、通常動作モードで、ＭＢ処理回路の出力を選択するように構成されている、請求項３３に記載のモバイル装置。
【請求項３５】
ＬＢ処理回路は、カスケードに配置された第１のフィルタと第１のＬＮＡとを含み、ＭＢ処理回路は、カスケードに配置された第２のフィルタと第２のＬＮＡとを含み、ＨＢ処理回路は、カスケードに配置された第３のフィルタと第３のＬＮＡとを含む、請求項３３に記載のモバイル装置。
【請求項３６】
１つ以上の一次アンテナをさらに含み、送受信機は、アンテナスイッチモジュールを介して１つ以上の一次アンテナに電気的に結合されている、請求項２９に記載のモバイル装置。
【請求項３７】
ダイバーシティモジュールにおける信号処理の方法であって、前記方法は、
少なくとも１つのダイバーシティアンテナを使用して、１つ以上のダイバーシティ信号を受信するステップと、
低帯域（ＬＢ）処理回路を使用して１つ以上のダイバーシティ信号を処理することに基づいて、ＬＢ信号を生成するステップとを含み、ＬＢ処理回路は、第１のアンテナ側多投スイッチと第１の送受信機側多投スイッチとの間の第１の信号経路において電気的に結合されており、前記方法はさらに、
中帯域（ＭＢ）処理回路を使用して１つ以上のダイバーシティ信号を処理することに基づいて、ＭＢ信号を生成するステップを含み、ＭＢ処理回路は、第２のアンテナ側多投スイッチと第２の送受信機側多投スイッチとの間の第２の信号経路において電気的に結合されており、ＭＢ信号は、ＬＢ信号の周波数成分よりも大きい周波数成分を有しており、前記方法はさらに、
高帯域（ＨＢ）処理回路を使用して１つ以上のダイバーシティ信号を処理することに基づいて、ＨＢ信号を生成するステップを含み、ＨＢ処理回路は、第２のアンテナ側多投スイッチと第１の送受信機側多投スイッチとの間の第３の信号経路において電気的に結合されており、ＨＢ信号は、ＭＢ信号の周波数成分よりも大きい周波数成分を有する、方法。
【請求項３８】
通常動作モードとバイパスモードとを含む複数の動作モードのうちの１つでダイバーシティモジュールを動作させるステップと、ダイバーシティモジュールが通常動作モードにある場合、第１の送受信機側多投スイッチを使用してＬＢ信号またはＨＢ信号を選択するステップと、ダイバーシティモジュールが通常動作モードにある場合、第２の送受信機側多投スイッチを使用してＭＢ信号を選択するステップとをさらに含む、請求項３７に記載の方法。
【請求項３９】
ダイバーシティモジュールがスワップモードにある場合、第１の送受信機側多投スイッチおよび第１のアンテナ側多投スイッチを使用して第１の送信バイパス経路を選択するステップと、ダイバーシティモジュールがスワップモードにある場合、第２の送受信機側多投スイッチおよび第２のアンテナ側多投スイッチを使用して第２の送信バイパス経路を選択するステップとをさらに含む、請求項３８に記載の方法。
【請求項４０】
ＬＢ信号の周波数成分は１ＧＨｚ未満であり、ＭＢ信号の周波数成分は１ＧＨｚ〜２．３ＧＨｚであり、ＨＢ信号の周波数成分は２．３ＧＨｚよりも大きい、請求項３７に記載の方法。
【発明の詳細な説明】
【技術分野】
【０００１】
発明の詳細な説明
背景
分野
この発明の実施例は電子システムに関し、特に無線周波数（radio frequency：ＲＦ）電子機器に関する。
【背景技術】
【０００２】
関連技術の説明
ＲＦシステムは、ＲＦ信号を受信および／または送信するためのアンテナを含み得る。しかしながら、ＲＦシステムには、アンテナへのアクセスを必要とし得るいくつかのコンポーネントが存在する場合がある。たとえば、ＲＦシステムは、異なる周波数帯域、異なる通信規格、および／または異なる電力モードに関連する異なる送信経路または受信経路を含んでいてもよく、各経路は、ある時点である特定のアンテナへのアクセスを必要とする場合がある。
【０００３】
アンテナスイッチモジュールは、ある特定のアンテナをＲＦシステムのある特定の送信経路または受信経路に電気的に接続するために使用可能であり、それにより、複数のコンポーネントがアンテナを共有できるようにする。ある構成では、アンテナスイッチモジュールはダイバーシティモジュールと通信しており、それは、１つ以上のダイバーシティアンテナを使用して受信および／または送信された信号を処理する。
【先行技術文献】
【特許文献】
【０００４】
【発明の概要】
【課題を解決するための手段】
【０００５】
概要
ある実施例では、この開示は、モバイル装置に関する。モバイル装置は、少なくとも１つのダイバーシティアンテナと、少なくとも１つのダイバーシティアンテナに電気的に結合されたダイバーシティモジュールと、アンテナスイッチモジュールとを含む。ダイバーシティモジュールは少なくとも１つのダイバーシティアンテナに電気的に結合されており、少なくとも１つのダイバーシティアンテナから受信された１つ以上のダイバーシティ信号を処理することに基づいて、高帯域（high band：ＨＢ）信号、中帯域（mid band：ＭＢ）信号、および低帯域（low band：ＬＢ）信号を生成するように構成されている。ＨＢ信号は、ＭＢ信号の周波数成分よりも大きい周波数成分を有し、ＭＢ信号は、ＬＢ信号の周波数成分よりも大きい周波数成分を有する。ダイバーシティモジュールはさらに、ＬＢ信号とＨＢ信号とを組合せることに基づいて、組合せＬＢ／ＨＢ信号を生成するように構成されている。アンテナスイッチモジュールは、ダイバーシティモジュールからＭＢ信号および組合せＬＢ／ＨＢ信号を受信するように構成されている。
【０００６】
多くの実施例では、ＬＢ信号の周波数成分は１ＧＨｚ未満であり、ＭＢ信号の周波数成分は１ＧＨｚ〜２．３ＧＨｚであり、ＨＢ信号の周波数成分は２．３ＧＨｚよりも大きい。
【０００７】
さまざまな実施例では、モバイル装置はさらに、送受信機と、１つ以上の一次アンテナとを含み、送受信機は、アンテナスイッチモジュールを介して１つ以上の一次アンテナに電気的に結合されている。
【０００８】
いくつかの実施例では、ダイバーシティモジュールは、ＬＢ信号およびＨＢ信号に基づいて組合せＬＢ／ＨＢ信号を生成するように構成されたダイプレクサを含む。
【０００９】
ある実施例によれば、ダイバーシティモジュールは、ＬＢ信号を生成するように構成されたＬＢ処理回路と、ＭＢ信号を生成するように構成されたＭＢ処理回路と、ＨＢ信号を生成するように構成されたＨＢ処理回路とを含む。
【００１０】
いくつかの実施例では、ＬＢ処理回路は、カスケードに配置された第１のフィルタと第１のＬＮＡとを含み、ＭＢ処理回路は、カスケードに配置された第２のフィルタと第２のＬＮＡとを含み、ＨＢ処理回路は、カスケードに配置された第３のフィルタと第３のＬＮＡとを含む。
【００１１】
さまざまな実施例では、モバイル装置はさらに、組合せＭＢ／ＨＢダイバーシティ信号を受信するように構成されたダイバーシティアンテナ端子と、ダイバーシティアンテナ端子に電気的に結合された入力、ＭＢ処理回路の入力に電気的に結合された第１の出力、およびＨＢ処理回路の入力に電気的に結合された第２の出力を含む、帯域選択スイッチとを含む。
【００１２】
ある実施例では、この開示は、モバイル装置におけるフロントエンド信号処理の方法に関する。この方法は、少なくとも１つのダイバーシティアンテナから、１つ以上のダイバーシティ信号を受信するステップと、ダイバーシティモジュールを使用して１つ以上のダイバーシティ信号を処理することに基づいて、ＨＢ信号、ＭＢ信号、およびＬＢ信号を生成するステップとを含む。ＨＢ信号は、ＭＢ信号の周波数成分よりも大きい周波数成分を有し、ＭＢ信号は、ＬＢ信号の周波数成分よりも大きい周波数成分を有する。この方法はさらに、ダイバーシティモジュールを使用してＬＢ信号とＨＢ信号とを組合せることに基づいて、組合せＬＢ／ＨＢ信号を生成するステップと、第１の信号ルートを通して、ＭＢ信号をアンテナスイッチモジュールに提供するステップと、第２の信号ルートを通して、組合せＬＢ／ＨＢ信号をアンテナスイッチモジュールに提供するステップとを含む。
【００１３】
多くの実施例によれば、ＬＢ信号の周波数成分は１ＧＨｚ未満であり、ＭＢ信号の周波数成分は１ＧＨｚ〜２．３ＧＨｚであり、ＨＢ信号の周波数成分は２．３ＧＨｚよりも大きい。
【００１４】
さまざまな実施例では、この方法はさらに、少なくとも１つの一次アンテナから１つ以上の一次信号を受信するステップと、１つ以上の一次信号をアンテナスイッチモジュールに提供するステップとを含む。
【００１５】
いくつかの実施例では、組合せＬＢ／ＨＢ信号を生成するステップは、ダイプレクサを使用してＬＢ信号とＨＢ信号とを組合せるステップを含む。
【００１６】
ある実施例では、この開示は、モバイル装置のためのダイバーシティモジュールに関する。ダイバーシティモジュールは、１つ以上のダイバーシティ信号を処理することに基づいてＬＢ信号を生成するように構成されたＬＢ処理回路と、１つ以上のダイバーシティ信号を処理することに基づいてＭＢ信号を生成するように構成されたＭＢ処理回路と、１つ以上のダイバーシティ信号を処理することに基づいてＨＢ信号を生成するように構成されたＨＢ処理回路とを含む。ＭＢ信号は、ＬＢ信号の周波数成分よりも大きい周波数成分を有し、ＨＢ信号は、ＭＢ信号の周波数成分よりも大きい周波数成分を有する。ダイバーシティモジュールはさらに、ＭＢ信号を受信するように構成されたＭＢ端子と、共有ＬＢ／ＨＢ端子と、共有ＬＢ／ＨＢ端子に電気的に結合された多投スイッチとを含む。多投スイッチは、第１の状態ではＬＢ信号を共有ＬＢ／ＨＢ端子に提供し、第２の状態ではＨＢ信号を共有ＬＢ／ＨＢ端子に提供するように構成されている。
【００１７】
さまざまな実施例によれば、ＬＢ信号の周波数成分は１ＧＨｚ未満であり、ＭＢ信号の周波数成分は１ＧＨｚ〜２．３ＧＨｚであり、ＨＢ信号の周波数成分は２．３ＧＨｚよりも大きい。
【００１８】
いくつかの実施例では、ダイバーシティモジュールはさらに、ＬＢ信号とＨＢ信号とを組合せて、組合せＬＢ／ＨＢ信号を生成するように構成されたダイプレクサを含み、多投スイッチは、第３の状態では組合せＬＢ／ＨＢ信号を共有ＬＢ／ＨＢ端子に提供するように構成されている。ある実施例では、ダイバーシティモジュールはさらに、ＨＢ処理回路の出力とダイプレクサの第１の入力との間に電気的に結合された第１のスイッチと、ＬＢ処理回路の出力とダイプレクサの第２の入力との間に電気的に結合された第２のスイッチとを含む。さまざまな実施例では、第１および第２のスイッチは、多投スイッチが第３の状態で動作する場合には閉じ、多投スイッチが第１または第２の状態で動作する場合には開くように構成されている。
【００１９】
多くの実施例では、ＬＢ処理回路は、カスケードに配置された第１のフィルタと第１のＬＮＡとを含み、ＭＢ処理回路は、カスケードに配置された第２のフィルタと第２のＬＮＡとを含み、ＨＢ処理回路は、カスケードに配置された第３のフィルタと第３のＬＮＡとを含む。
【００２０】
さまざまな実施例では、ダイバーシティモジュールはさらに、ＬＢダイバーシティ信号を受信するように構成された第１のダイバーシティアンテナ端子を含み、第１のダイバーシティアンテナ端子は、ＬＢ処理回路の入力に電気的に結合されている。いくつかの実施例では、ダイバーシティモジュールはさらに、組合せＭＢ／ＨＢダイバーシティ信号を受信するように構成された第２のダイバーシティアンテナ端子と、第２のダイバーシティアンテナ端子に電気的に結合された入力、ＭＢ処理回路の入力に電気的に結合された第１の出力、およびＨＢ処理回路の入力に電気的に結合された第２の出力を含む、帯域選択スイッチとを含む。
【００２１】
いくつかの実施例によれば、ＬＢ処理回路は、異なる周波数範囲を有する複数の低帯域フィルタを含み、ＭＢ処理回路は、異なる周波数範囲を有する複数の中帯域フィルタを含み、ＨＢ処理回路は、異なる周波数範囲を有する複数の高帯域フィルタを含む。
【００２２】
ある実施例では、この開示は、ダイバーシティモジュールに関する。ダイバーシティモジュールは、第１のアンテナ側多投スイッチと、第２のアンテナ側多投スイッチと、第１の送受信機側多投スイッチと、第２の送受信機側多投スイッチと、ＬＢ信号を生成するように構成されたＬＢ処理回路と、ＬＢ信号の周波数成分よりも大きい周波数成分を有するＭＢ信号を生成するように構成されたＭＢ処理回路と、ＭＢ信号の周波数成分よりも大きい周波数成分を有するＨＢ信号を生成するように構成されたＨＢ処理回路とを含む。ＬＢ処理回路は、第１のアンテナ側多投スイッチと第１の送受信機側多投スイッチとの間の第１の信号経路において電気的に結合されており、ＭＢ処理回路は、第２のアンテナ側多投スイッチと第２の送受信機側多投スイッチとの間の第２の信号経路において電気的に結合されており、ＨＢ処理回路は、第２のアンテナ側多投スイッチと第１の送受信機側多投スイッチとの間の第３の信号経路において電気的に結合されている。
【００２３】
多くの実施例では、ＬＢ信号の周波数成分は１ＧＨｚ未満であり、ＭＢ信号の周波数成分は１ＧＨｚ〜２．３ＧＨｚであり、ＨＢ信号の周波数成分は２．３ＧＨｚよりも大きい。
【００２４】
さまざまな実施例では、ダイバーシティモジュールはさらに、第１の送受信機側多投スイッチと第１のアンテナ側多投スイッチとの間の第１の送信バイパス経路と、第２の送受信機側多投スイッチと第２のアンテナ側多投スイッチとの間の第２の送信バイパス経路とを含む。
【００２５】
ある実施例によれば、ダイバーシティモジュールは、通常動作モードおよびスワップモードを含む複数のモードで動作可能である。加えて、第１の送受信機側多投スイッチおよび第１のアンテナ側多投スイッチは、スワップモードで、第１の送信バイパス経路を選択するように構成されており、第２の送受信機側多投スイッチおよび第２のアンテナ側多投スイッチは、スワップモードで、第２の送信バイパス経路を選択するように構成されている。
【００２６】
いくつかの実施例では、ダイバーシティモジュールはさらに、第１のアンテナ側多投スイッチに電気的に結合された第１のダイバーシティアンテナ端子と、第２のアンテナ側多投スイッチに電気的に結合された第２のダイバーシティアンテナ端子と、第１の送受信機側多投スイッチに電気的に結合された第１の双方向端子と、第２の送受信機側多投スイッチに電気的に結合された第２の双方向端子とを含む。
【００２７】
さまざまな実施例では、ダイバーシティモジュールは、通常動作モードおよびスワップモードを含む複数のモードで動作可能であり、第１の送受信機側多投スイッチは、通常動作モードで、ＬＢ信号またはＨＢ信号のいずれかを第１の双方向端子に提供するように構成されており、第２の送受信機側多投スイッチは、通常動作モードで、ＭＢ信号を第２の双方向端子に提供するように構成されている。
【００２８】
いくつかの実施例では、第１の送受信機側多投スイッチおよび第１のアンテナ側多投スイッチは、スワップモードで、第１の双方向端子を、第１の送信バイパス経路を介して第１のダイバーシティアンテナ端子に電気的に結合するように構成されており、第２の送受信機側多投スイッチおよび第２のアンテナ側多投スイッチは、スワップモードで、第２の双方向端子を、第２の送信バイパス経路を介して第２のダイバーシティアンテナ端子に電気的に結合するように構成されている。
【００２９】
多くの実施例によれば、ＬＢ処理回路は、カスケードに配置された第１のフィルタと第１のＬＮＡとを含み、ＭＢ処理回路は、カスケードに配置された第２のフィルタと第２のＬＮＡとを含み、ＨＢ処理回路は、カスケードに配置された第３のフィルタと第３のＬＮＡとを含む。
【００３０】
ある実施例では、この開示は、モバイル装置に関する。モバイル装置は、送受信機と、アンテナスイッチモジュールと、少なくとも１つのダイバーシティアンテナと、送受信機側とアンテナ側とを含むダイバーシティモジュールとを含む。ダイバーシティモジュールは、送受信機側でアンテナスイッチモジュールを介して送受信機に電気的に結合され、アンテナ側で少なくとも１つのダイバーシティアンテナに電気的に結合されている。ダイバーシティモジュールは、第１のアンテナ側多投スイッチと、第２のアンテナ側多投スイッチと、第１の送受信機側多投スイッチと、第２の送受信機側多投スイッチと、ＬＢ処理回路と、ＭＢ処理回路と、ＨＢ処理回路とを含む。ＬＢ処理回路は、第１のアンテナ側多投スイッチと第１の送受信機側多投スイッチとの間の第１の信号経路において電気的に結合されており、ＭＢ処理回路は、第２のアンテナ側多投スイッチと第２の送受信機側多投スイッチとの間の第２の信号経路において電気的に結合されており、ＨＢ処理回路は、第２のアンテナ側多投スイッチと第１の送受信機側多投スイッチとの間の第３の信号経路において電気的に結合されている。
【００３１】
さまざまな実施例では、ＬＢ処理回路は、少なくとも１つのダイバーシティアンテナから受信された１つ以上のダイバーシティ信号を処理することに基づいて、ＬＢ信号を生成するように構成されており、ＭＢ処理回路は、１つ以上のダイバーシティ信号を処理することに基づいて、ＬＢ信号の周波数成分よりも大きい周波数成分を有するＭＢ信号を生成するように構成されており、ＨＢ処理回路は、１つ以上のダイバーシティ信号を処理することに基づいて、ＭＢ信号の周波数成分よりも大きい周波数成分を有するＨＢ信号を生成するように構成されている。
【００３２】
ある実施例では、ＬＢ信号の周波数成分は１ＧＨｚ未満であり、ＭＢ信号の周波数成分は１ＧＨｚ〜２．３ＧＨｚであり、ＨＢ信号の周波数成分は２．３ＧＨｚよりも大きい。
【００３３】
いくつかの実施例によれば、ダイバーシティモジュールはさらに、第１の送受信機側多投スイッチと第１のアンテナ側多投スイッチとの間の第１の送信バイパス経路と、第２の送受信機側多投スイッチと第２のアンテナ側多投スイッチとの間の第２の送信バイパス経路とを含む。
【００３４】
さまざまな実施例では、ダイバーシティモジュールは、通常動作モードおよびスワップモードを含む複数のモードで動作可能であり、第１の送受信機側多投スイッチおよび第１のアンテナ側多投スイッチは、スワップモードで、第１の送信バイパス経路を選択するように構成されており、第２の送受信機側多投スイッチおよび第２のアンテナ側多投スイッチは、スワップモードで、第２の送信バイパス経路を選択するように構成されている。
【００３５】
ある実施例では、第１の送受信機側多投スイッチは、通常動作モードで、ＨＢ処理回路の出力またはＬＢ処理回路の出力を選択するように構成されており、第２の送受信機側多投スイッチは、通常動作モードで、ＭＢ処理回路の出力を選択するように構成されている。
【００３６】
さまざまな実施例では、ＬＢ処理回路は、カスケードに配置された第１のフィルタと第１のＬＮＡとを含み、ＭＢ処理回路は、カスケードに配置された第２のフィルタと第２のＬＮＡとを含み、ＨＢ処理回路は、カスケードに配置された第３のフィルタと第３のＬＮＡとを含む。
【００３７】
ある実施例によれば、モバイル装置はさらに１つ以上の一次アンテナを含み、送受信機は、アンテナスイッチモジュールを介して１つ以上の一次アンテナに電気的に結合されている。
【００３８】
ある実施例では、この開示は、ダイバーシティモジュールにおける信号処理の方法に関する。この方法は、少なくとも１つのダイバーシティアンテナを使用して、１つ以上のダイバーシティ信号を受信するステップと、第１のアンテナ側多投スイッチと第１の送受信機側多投スイッチとの間の第１の信号経路において電気的に結合されたＬＢ処理回路を使用して１つ以上のダイバーシティ信号を処理することに基づいて、ＬＢ信号を生成するステップとを含む。この方法はさらに、第２のアンテナ側多投スイッチと第２の送受信機側多投スイッチとの間の第２の信号経路において電気的に結合されたＭＢ処理回路を使用して１つ以上のダイバーシティ信号を処理することに基づいて、ＭＢ信号を生成するステップを含み、ＭＢ信号は、ＬＢ信号の周波数成分よりも大きい周波数成分を有する。この方法はさらに、第２のアンテナ側多投スイッチと第１の送受信機側多投スイッチとの間の第３の信号経路において電気的に結合されたＨＢ処理回路を使用して１つ以上のダイバーシティ信号を処理することに基づいて、ＨＢ信号を生成するステップを含み、ＨＢ信号は、ＭＢ信号の周波数成分よりも大きい周波数成分を有する。
【００３９】
さまざまな実施例では、この方法はさらに、通常動作モードとバイパスモードとを含む複数の動作モードのうちの１つでダイバーシティモジュールを動作させるステップと、ダイバーシティモジュールが通常動作モードにある場合、第１の送受信機側多投スイッチを使用してＬＢ信号またはＨＢ信号を選択するステップと、ダイバーシティモジュールが通常動作モードにある場合、第２の送受信機側多投スイッチを使用してＭＢ信号を選択するステップとを含む。
【００４０】
いくつかの実施例によれば、この方法はさらに、ダイバーシティモジュールがスワップモードにある場合、第１の送受信機側多投スイッチおよび第１のアンテナ側多投スイッチを使用して第１の送信バイパス経路を選択するステップと、ダイバーシティモジュールがスワップモードにある場合、第２の送受信機側多投スイッチおよび第２のアンテナ側多投スイッチを使用して第２の送信バイパス経路を選択するステップとを含む。
【００４１】
多くの実施例では、ＬＢ信号の周波数成分は１ＧＨｚ未満であり、ＭＢ信号の周波数成分は１ＧＨｚ〜２．３ＧＨｚであり、ＨＢ信号の周波数成分は２．３ＧＨｚよりも大きい。
【図面の簡単な説明】
【００４２】
【図１】無線装置の一例の概略ブロック図である。
【図２】一実施例に従った無線周波数（ＲＦ）システムの概略ブロック図である。
【図３】別の実施例に従ったＲＦシステムの概略ブロック図である。
【図４】別の実施例に従ったＲＦシステムの概略ブロック図である。
【図５】ダイバーシティモジュールとアンテナスイッチモジュールとを含むＲＦシステムの一実施例の概略ブロック図である。
【図６】別の実施例に従ったＲＦシステムの概略ブロック図である。
【図７】別の実施例に従ったＲＦシステムの概略ブロック図である。
【図８】別の実施例に従ったダイバーシティモジュールの概略ブロック図である。
【図９Ａ】ＲＦシステムの概略ブロック図である。
【図９Ｂ】ＲＦシステムの概略ブロック図である。
【図１０】ダイバーシティモジュールとアンテナスイッチモジュールとを含むＲＦシステムの別の実施例の概略ブロック図である。
【発明を実施するための形態】
【００４３】
実施例の詳細な説明
ここに見出しが提供される場合、それらは単なる便宜上のものであり、請求される発明の範囲または意味に必ずしも影響を与えない。
【００４４】
図１は、無線またはモバイル装置１１の一例の概略ブロック図である。モバイル装置１１は、この開示の１つ以上の特徴を実現する無線周波数（ＲＦ）モジュールを含み得る。
【００４５】
図１に示す例示的なモバイル装置１１は、多帯域／多モード携帯電話といった多帯域および／または多モード装置を表わし得る。例として、グローバル・システム・フォー・モバイル（Global System for Mobile：ＧＳＭ（登録商標））通信規格は、世界各地で利用されているデジタルセルラー通信のモードである。ＧＳＭモードの携帯電話は、８５０ＭＨｚ（Ｔｘについては約８２４〜８４９ＭＨｚ、Ｒｘについては約８６９〜８９４ＭＨｚ）、９００ＭＨｚ（Ｔｘについては約８８０〜９１５ＭＨｚ、Ｒｘについては約９２５〜９６０ＭＨｚ）、１８００ＭＨｚ（Ｔｘについては約１７１０〜１７８５ＭＨｚ、Ｒｘについては約１８０５〜１８８０ＭＨｚ）、および１９００ＭＨｚ（Ｔｘについては約１８５０〜１９１０ＭＨｚ、Ｒｘについては約１９３０〜１９９０ＭＨｚ）という４つの周波数帯域のうちの１つ以上で動作可能である。ＧＳＭ帯域の変形、および／または各地域／国での実現化例も、世界のさまざまな場所で利用されている。
【００４６】
符号分割多重アクセス（code division multiple access：ＣＤＭＡ）は、携帯電話装置で実現可能な別の規格である。ある実現化例では、ＣＤＭＡ装置は、８００ＭＨｚ、９００ＭＨｚ、１８００ＭＨｚおよび１９００ＭＨｚの帯域のうちの１つ以上で動作可能であり、一方、あるＷ−ＣＤＭＡおよびロング・ターム・エボリューション（Long Term Evolution：ＬＴＥ）装置は、たとえば、２２個以上の無線周波数スペクトル帯域にわたって動作可能である。
【００４７】
この開示のＲＦモジュールは、前述の例示的なモードおよび／または帯域を実現するモバイル装置内で、および他の通信規格において使用可能である。たとえば、３Ｇ、４Ｇ、ＬＴＥ、およびアドバンストＬＴＥは、そのような規格の非限定的な例である。
【００４８】
例示された実施例では、モバイル装置１１は、アンテナスイッチモジュール１２と、送受信機１３と、１つ以上の一次アンテナ１４と、電力増幅器１７と、制御コンポーネント１８と、コンピュータ読取可能媒体１９と、プロセッサ２０と、バッテリ２１と、１つ以上のダイバーシティアンテナ２２と、ダイバーシティモジュール２３とを含む。
【００４９】
送受信機１３は、一次アンテナ１４および／またはダイバーシティアンテナ２２を介した送信用のＲＦ信号を生成可能である。さらに、送受信機１３は、一次アンテナ１４および／またはダイバーシティアンテナ２２からの入来ＲＦ信号を受信可能である。ＲＦ信号の送受信に関連するさまざまな機能性は、図１に送受信機１３と総称される１つ以上のコンポーネントによって達成可能である、ということが理解されるであろう。たとえば、単一のコンポーネントが、送信機能性および受信機能性の双方を提供するように構成可能である。別の例では、送信機能性および受信機能性は、別々のコンポーネントによって提供可能である。
【００５０】
図１では、送受信機１３からの１つ以上の出力信号が、１つ以上の送信経路１５を介してアンテナスイッチモジュール１２に提供されるとして図示されている。図示された例では、異なる送信経路１５は、異なる帯域および／または異なる電力出力に関連する出力経路を表わし得る。たとえば、図示された２つの異なる経路は、異なる電力出力（たとえば、低い電力出力および高い電力出力）に関連する経路、および／または異なる帯域に関連する経路を表わし得る。送信経路１５は、比較的低い電力を有するＲＦ信号を、送信に好適なより高い電力へと高めるのを助ける１つ以上の電力増幅器１７を含み得る。図１は２つの送信経路１５を用いた構成を例示しているが、モバイル装置１１は、それよりも多い、または少ない送信経路１５を含むように適合されていてもよい。
【００５１】
図１では、１つ以上の受信信号が、アンテナスイッチモジュール１２から１つ以上の受信経路１６を介して送受信機１３に提供されるとして図示されている。図示された例では、異なる受信経路１６は、異なる帯域に関連する経路を表わし得る。たとえば、図示された４つの例示的な経路１６は、いくつかのモバイル装置に提供される４帯域の能力を表わし得る。図１は４つの受信経路１６を用いた構成を例示しているが、モバイル装置１１は、それよりも多い、または少ない受信経路１６を含むように適合されていてもよい。
【００５２】
受信経路および／または送信経路間のスイッチングを容易にするために、アンテナスイッチモジュール１２が、ある特定のアンテナを選択された送信経路または受信経路に電気的に接続するために使用可能である。このため、アンテナスイッチモジュール１２は、モバイル装置１１の動作に関連する多くのスイッチング機能性を提供可能である。アンテナスイッチモジュール１２は、たとえば、異なる帯域間のスイッチング、異なる電力モード間のスイッチング、送信モードおよび受信モード間のスイッチング、またはそれらのいくつかの組合せに関連する機能性を提供するように構成された１つ以上の多投スイッチを含み得る。アンテナスイッチモジュール１２はまた、信号のフィルタリングおよび／または二重化を含む追加の機能性を提供するように構成可能である。
【００５３】
図１は、ある実施例で、アンテナスイッチモジュール１２、ダイバーシティモジュール２３、および／または他の動作コンポーネントの動作に関連するさまざまな制御機能性を制御するために、制御コンポーネント１８が提供可能であることを例示している。たとえば、制御コンポーネント１８は、一次アンテナ１４および／またはダイバーシティアンテナ２２への電気接続性を、たとえばスイッチの状態を設定することによって制御するために、アンテナスイッチモジュール１２および／またはダイバーシティモジュール２３に制御信号を提供可能である。
【００５４】
ある実施例では、プロセッサ２０は、モバイル装置１１に対するさまざまなプロセスの実現を容易にするように構成可能である。プロセッサ２０は、汎用コンピュータ、専用コンピュータ、または他のプログラム可能データ処理装置であってもよい。ある実現化例では、モバイル装置１１はコンピュータ読取可能メモリ１９を含んでいてもよく、それは、プロセッサ２０に提供され、プロセッサ２０によって実行されるコンピュータプログラム命令を含んでいてもよい。
【００５５】
バッテリ２１は、たとえばリチウムイオンバッテリを含む、モバイル装置１１での使用にとって好適なあらゆるバッテリであり得る。
【００５６】
例示されたモバイル装置１１はダイバーシティアンテナ２２を含み、それは、モバイル装置が一次アンテナしか含まない構成に比べ、無線リンクの品質および信頼性を向上させるのに役立ち得る。たとえば、ダイバーシティアンテナ２２を含むことは、見通し線損失を減少させ、および／または、一次アンテナ１４の信号干渉に関連する位相シフト、時間遅延および／または歪みの影響を軽減することができる。
【００５７】
図１に示すように、ダイバーシティモジュール２３は、ダイバーシティアンテナ２２に電気的に結合されている。ダイバーシティモジュール２３は、ダイバーシティアンテナ２２を使用して受信された信号および／または送信された信号を処理するために使用可能である。ある構成では、ダイバーシティモジュール２３は、フィルタリング、増幅、スイッチング、および／または他の処理を提供するために使用可能である。
【００５８】
共有された低帯域端子および高帯域端子を有するダイバーシティモジュールの例
１つ以上の一次アンテナと１つ以上のダイバーシティアンテナとをモバイル装置で使用することは、信号受信の品質を向上させることができる。たとえば、ダイバーシティアンテナは、モバイル装置の近傍での無線周波数（ＲＦ）信号の追加のサンプリングを提供可能である。加えて、モバイル装置の送受信機は、一次アンテナおよびダイバーシティアンテナによって受信された信号を処理して、一次アンテナのみを用いる構成に比べてより高いエネルギおよび／または向上した忠実性の受信信号を得るように実現可能である。
【００５９】
一次アンテナおよびダイバーシティアンテナによって受信された信号間の相関を減少させるために、および／またはアンテナ分離を高めるために、一次アンテナおよびダイバーシティアンテナは、モバイル装置において比較的大きな物理的距離だけ離れ得る。たとえば、ダイバーシティアンテナをモバイル装置の上部近くに位置付け、一次アンテナをモバイル装置の底部近くに位置付けてもよく、逆もまた可能である。
【００６０】
モバイル装置の送受信機は、一次アンテナを用いて信号を送信または受信可能であり、送受信機は、アンテナスイッチモジュールを介して一次アンテナと通信可能である。信号通信仕様を満たす、または上回るために、送受信機、アンテナスイッチモジュール、および／または一次アンテナは、モバイル装置において物理的に互いに比較的接近していてもよい。このような態様でモバイル装置を構成することは、比較的小さい信号損失、低い雑音、および／または高い分離を提供可能である。加えて、ダイバーシティアンテナは、アンテナスイッチモジュールから物理的に比較的遠く離れて位置していてもよい。
【００６１】
ダイバーシティアンテナ上で受信されたダイバーシティ信号をアンテナスイッチモジュールに送信するのを助けるために、モバイル装置は、増幅、フィルタリング、および／または他の処理をダイバーシティ信号に提供するためのダイバーシティモジュールを含み得る。処理されたダイバーシティ信号は、電話基板トレースおよび／またはケーブルを含み得るＲＦ信号ルートを介して、ダイバーシティモジュールからアンテナスイッチモジュールに送信可能である。
【００６２】
モバイル装置は、幅広い範囲の周波数にわたって分けられた多数の帯域を用いて動作可能である。たとえば、あるモバイル装置は、１つ以上の低帯域（たとえば、１ＧＨｚ以下の周波数を有するＲＦ信号帯域）、１つ以上の中帯域（たとえば、１ＧＨｚ〜２．３ＧＨｚの周波数を有するＲＦ信号帯域）、および１つ以上の高帯域（たとえば、２．３ＧＨｚよりも大きい周波数を有するＲＦ信号帯域）を用いて動作可能である。高帯域、中帯域、および低帯域を含む幅広い周波数範囲にわたる通信に役立つために、あるモバイル装置は、ある帯域に高性能動作を提供するように実現された複数の一次アンテナおよび／または複数のダイバーシティアンテナを含み得る。しかしながら、１つの一次アンテナおよび／または１つのダイバーシティアンテナを使用する実現化例といった他の構成も可能である。そのような構成では、モバイル装置は、異なる周波数帯域に関連する信号を分離するためのダイプレクサまたは他の好適な回路を含み得る。
【００６３】
ここに提供されるのは、多帯域ＲＦ信号ルーティングのための装置および方法である。ある構成では、モバイル装置は、アンテナスイッチモジュールと、ダイバーシティモジュールと、１つ以上のダイバーシティアンテナとを含む。ダイバーシティモジュールは１つ以上のダイバーシティアンテナに電気的に結合されており、１つ以上のダイバーシティアンテナ上で受信されたダイバーシティ信号を処理して、高帯域（ＨＢ）信号、中帯域（ＭＢ）信号、および低帯域（ＬＢ）信号を生成する。加えて、ダイバーシティモジュールは、ＬＢ信号とＨＢ信号とを組合せることに基づいて、組合せＬＢ／ＨＢ信号を生成し、ＭＢ信号および組合せＬＢ／ＨＢ信号とをアンテナスイッチモジュールに提供する。
【００６４】
ここでの教示は、モバイル装置でルーティングされるＲＦ信号の数を減少させるために使用可能である。たとえば、組合せＬＢ／ＨＢ信号を出力するようにダイバーシティモジュールを構成することは、ＲＦ信号をルーティングするために使用される電話基板上のトレースおよび／またはケーブルの数を減少させ得る。ルーティング輻輳および／またはＲＦ信号ルートの数を減少させることは、モバイル装置のサイズおよび／またはコストを減少させ得る。
【００６５】
このため、低帯域、中帯域、および高帯域用に別々のダイバーシティ信号を生成するダイバーシティモジュールとは対照的に、ここでのダイバーシティモジュールは組合せＬＢ／ＨＢ信号を生成可能であり、それは共有ＲＦ信号経路を通してアンテナスイッチモジュールへとルーティングされる。
【００６６】
加えて、ここでのダイバーシティモジュールは、低帯域、中帯域、および高帯域周波数成分を組合せる単一のダイバーシティ信号を生成するダイバーシティモジュールに比べ、強化された性能を提供可能である。たとえば、理想的には動作しないかもしれない比較的長いＲＦ信号ルートを通して、ダイバーシティモジュールからアンテナスイッチモジュールにダイバーシティ信号を送信する際、そのようなダイバーシティ信号の周波数成分は劣化するかもしれず、および／または異なる周波数帯域に関連する信号成分が混ざるかもしれない。これに対し、組合せＬＢ／ＨＢ信号は、低帯域と高帯域との周波数の分離を含み、このため、ダイバーシティモジュールからアンテナスイッチモジュールに信号を提供する際、組合せＬＢ／ＨＢ信号の忠実性は維持可能である。このため、ＭＢ信号および組合せＬＢ／ＨＢ信号を出力するようにダイバーシティモジュールを構成することは、ダイバーシティ信号のための頑強な信号品質を維持しつつ、ルーティング輻輳および／またはＲＦ信号ルートの数を有利に減少させる。
【００６７】
図２は、一実施例に従ったＲＦシステム２５の概略ブロック図である。ＲＦシステム２５は、ダイバーシティモジュール３０と、第１のまたは低帯域（ＬＢ）ダイバーシティアンテナ３１と、第２のまたは組合せ中帯域／高帯域（ＭＢ/ＨＢ）ダイバーシティアンテナ３２とを含む。
【００６８】
明確にするために図２には例示されていないものの、ＲＦシステム２５は、追加の回路、端子、および／またはコンポーネントといった追加の構造を含み得る。たとえば、ＲＦシステム２５は、図１のモバイル装置１１といったモバイル装置の一部を表わし得る。ある構成では、ダイバーシティモジュール３０は、モバイル装置の無線周波数フロントエンド（radio frequency front end：ＲＦＦＥ）で動作可能である。
【００６９】
例示されたダイバーシティモジュール３０は、帯域選択スイッチ３３と、ＬＢ処理回路３４と、ＭＢ処理回路３５と、ＨＢ処理回路３６と、ＬＢ／ＨＢダイプレクサ３７とを含む。加えて、ダイバーシティモジュール３０は、ＬＢダイバーシティアンテナ３１に電気的に結合された第１のダイバーシティアンテナ端子ＡＮＴ１＿Ｄと、組合せＭＢ／ＨＢダイバーシティアンテナ３２に電気的に結合された第２のダイバーシティアンテナ端子ＡＮＴ２＿Ｄと、第１のダイバーシティ出力端子ＯＵＴ１＿Ｄと、第２のダイバーシティ出力端子ＯＵＴ２＿Ｄとを含む。明確にするために図２には例示されていないものの、ＲＦシステム２５は、追加の回路、端子、および／またはコンポーネントといった追加の構造を含み得る。
【００７０】
ダイバーシティモジュール３０は、ダイバーシティ出力端子を含むとして説明されているが、ある構成では、第１の出力端子ＯＵＴ１＿Ｄおよび／または第２の出力端子ＯＵＴ２＿Ｄは、双方向に動作可能である。たとえば、以下により詳細に説明されるように、ダイバーシティモジュールは、送受信機からＲＦ信号を受信するためにダイバーシティ出力端子が使用されるスワップモードを含むように構成可能である。
【００７１】
第１のダイバーシティ出力端子ＯＵＴ１＿Ｄおよび第２のダイバーシティ出力端子ＯＵＴ２＿Ｄで生成されたＲＦ信号は、さらなる処理のために、ダイバーシティモジュール３０から他の回路またはコンポーネントにルーティングされ得る。一実施例では、ダイバーシティモジュール３０は、第１のダイバーシティ出力端子ＯＵＴ１＿Ｄおよび第２のダイバーシティ出力端子ＯＵＴ２＿Ｄを使用して、アンテナスイッチモジュールに電気的に結合される。
【００７２】
ＲＦシステムでルーティングされるＲＦ信号の数を減少させることが望ましくなり得る。たとえば、モバイル装置では、ＲＦ信号をルーティングするために使用されるプリント回路基板（ＰＣＢ）上のトレースおよび／またはケーブルの数を減少させることが望ましくなり得る。ルーティング輻輳および／またはＲＦ信号ルートの数を減少させることは、モバイル装置のサイズおよび／またはコストを減少させ得る。
【００７３】
一例では、モバイル装置は、ダイバーシティモジュール３０と、ダイバーシティアンテナ３１、３２と、アンテナスイッチモジュールと、１つ以上の一次アンテナとを含む。一次アンテナによって受信された信号に比べ、ＬＢダイバーシティアンテナ３１および組合せＭＢ／ＨＢダイバーシティアンテナ３２によって受信された信号のダイバーシティを向上させるために、ダイバーシティモジュール３０、ＬＢダイバーシティアンテナ３１、および組合せＭＢ／ＨＢダイバーシティアンテナ３２は、アンテナスイッチモジュールおよび一次アンテナから物理的に比較的大きく離れて配置可能である。たとえば、ダイバーシティアンテナおよび一次アンテナは、モバイル装置の両側または両端に位置付けられてもよい。モバイル装置におけるＲＦ信号ルーティングを減少させるために、限定された数の出力端子および関連するＲＦ信号ルートを有することが、ダイバーシティモジュール３０にとって望ましくなり得る。
【００７４】
モバイル装置は、多数の帯域を用いて動作可能である。たとえば、あるモバイル装置は、１つ以上の低帯域（たとえば、１ＧＨｚ以下の周波数を有するＲＦ信号帯域）、１つ以上の中帯域（たとえば、１ＧＨｚ〜２．３ＧＨｚの周波数を有するＲＦ信号帯域）、および１つ以上の高帯域（たとえば、２．３ＧＨｚよりも大きい周波数を有するＲＦ信号帯域）を用いて動作可能である。
【００７５】
例示されたダイバーシティモジュール３０は、ＬＢ  ＲＦ信号、ＭＢ  ＲＦ信号、ＨＢ  ＲＦ信号、またはそれらの組合せを処理するために使用可能である。たとえば、ＬＢダイバーシティアンテナ３１は、ＬＢダイバーシティ信号を受信するために使用可能であり、ＬＢダイバーシティ信号は、ＬＢ処理回路３４を使用して処理可能である。加えて、組合せＭＢ／ＨＢダイバーシティアンテナ３２は、ＭＢダイバーシティ信号およびＨＢダイバーシティ信号の双方を受信するために使用可能である。また、ＭＢ処理回路３５は、受信されたＭＢダイバーシティ信号を処理するために使用可能であり、ＨＢ処理回路３６は、受信されたＨＢダイバーシティ信号を処理するために使用可能である。
【００７６】
高帯域、中帯域、および低帯域を含む幅広い周波数範囲にわたって通信するあるモバイル装置は、ある帯域にわたって高性能動作を個々に提供する複数の一次アンテナおよび／または複数のダイバーシティアンテナを使用する。たとえば、ある特定のアンテナは、１つ以上の帯域を含むある周波数範囲にわたって、強化された性能を提供するように実現されていてもよい。しかしながら、１つの一次アンテナおよび／または１つのダイバーシティアンテナを使用する実現化例といった他の構成も可能である。
【００７７】
図２に示すように、帯域選択スイッチ３３は、組合せＭＢ／ＨＢダイバーシティアンテナ３２に電気的に結合された入力と、ＨＢ処理回路３６の入力に電気的に結合された第１の出力と、ＭＢ処理回路３５の入力に電気的に結合された第２の出力とを含む。加えて、帯域選択スイッチ３３は、複数の状態のうちの１つに設定可能である。たとえば、帯域選択スイッチ３３は、帯域選択スイッチ３３が組合せＭＢ／ＨＢダイバーシティアンテナ３２からの受信信号をＭＢ処理回路３５に提供できるものの、ＨＢ処理回路３６には提供できない第１の状態に設定可能である。加えて、帯域選択スイッチ３３は、帯域選択３３が組合せＭＢ／ＨＢダイバーシティアンテナ３２からの受信信号をＨＢ処理回路３６に提供できるものの、ＭＢ処理回路３５には提供できない第２の状態に設定可能である。さらに、帯域選択スイッチ３３は、帯域選択スイッチ３３が組合せＭＢ／ＨＢダイバーシティアンテナ３２からの受信信号をＭＢ処理回路３５およびＨＢ処理回路３６の双方に提供できる第３の状態に設定可能である。
【００７８】
組合せＭＢ／ＨＢダイバーシティアンテナ３２からの受信信号がＭＢ処理回路３５およびＨＢ処理回路３６の双方に提供される状態を含むように帯域選択スイッチ３３を構成することは、キャリアアグリゲーションを提供するのに役立ち得る。たとえば、モバイル装置をより幅広い帯域幅で動作させるために、モバイル装置は、たとえばＭＢ周波数およびＨＢ周波数の双方のＲＦ信号を含む、複数の周波数帯域にわたって同時に送信または受信される信号に基づいて、通信してもよい。ＲＦ信号は、モバイル装置の信号帯域幅を広げるために集約可能である。
【００７９】
図２に示すように、ＬＢ処理回路３４は、ＬＢダイバーシティアンテナ３１からの受信信号を処理してＬＢ信号を生成するために使用される。加えて、ＨＢ処理回路３６は、帯域選択スイッチ３３の第１の出力を処理してＨＢ信号を生成するために使用される。さらに、ＬＢ／ＨＢダイプレクサ３７は、ＬＢ信号とＨＢ信号とを組合せることによって、第１のダイバーシティ出力端子ＯＵＴ１＿Ｄ上に組合せＬＢ／ＨＢ出力信号を生成するために使用される。加えて、ＭＢ処理回路３５は、帯域選択スイッチ３３の第２の出力を処理して、第２のダイバーシティ出力端子ＯＵＴ２＿Ｄ上にＭＢ信号を生成するために使用される。
【００８０】
したがって、例示された構成では、ダイバーシティモジュール３０は、減少した数の出力端子を有しつつ、ＬＢ信号、ＭＢ信号、ＨＢ信号、および／またはそれらの組合せを処理するために使用可能である。たとえば、例示された構成は、ＬＢ信号、ＭＢ信号、およびＨＢ信号の各々について別個の出力端子を含むのではなく、別個のＭＢ出力端子と共有ＬＢ／ＨＢ出力端子とを含む。出力端子の減少は、ダイバーシティモジュール３０からモバイル装置の他のコンポーネント、たとえばアンテナスイッチモジュールにルーティングされるＲＦ信号の数の減少をもたらし得る。
【００８１】
したがって、ダイバーシティモジュール３０は、たとえばケーブルおよび／またはＰＣＢトレースの数を含め、ルーティングされるＲＦ信号の数を減少させることにより、モバイル装置の一体化を強化するために使用可能である。ルーティング輻輳および／またはＲＦ信号ルートの数を減少させることは、モバイル装置のサイズおよび／またはコストを減少させ得る。
【００８２】
加えて、ダイバーシティモジュール３０は、共有ＭＢ／ＨＢ出力端子を通した通信のためにＭＢ信号とＨＢ信号とを再度組合せるためにダイプレクサが使用される構成に比べ、強化された性能および／またはより低いコストを提供可能である。たとえば、ＭＢ信号およびＨＢ信号は、周波数が比較的接近して隔てられており、周波数間隔が接近した２つのＲＦ信号を低い損失で再度組合せることは、困難な場合がある。
【００８３】
たとえば、ＭＢ信号とＨＢ信号とを組合せるために使用される電力結合器は３ｄＢの損失をもたらすかもしれず、それは、ＲＦフロントエンド仕様にとって受入れられないかもしれない。たとえば、受信機では、結合器からの３ｄＢの損失は、受信機の感度の３ｄＢの減少に対応し得る。空洞フィルタおよび／または表面弾性波（surface acoustic wave：ＳＡＷ）フィルタが、ＭＢ信号とＨＢ信号とを再度組合せるのに十分な周波数感度をもたらすかもしれないが、そのようなフィルタは、特にモバイル技術にとっては禁止となり得るコストおよび／またはサイズを有し得る。モバイル装置が複数の高周波数帯域および／または複数の中周波数帯域を用いて動作する構成では、フィルタリングのオーバーヘッドが悪化し得る。なぜなら、各帯域は別個のフィルタを利用し得るためである。
【００８４】
したがって、例示されたダイバーシティモジュールは、ＭＢを別個にルーティングしつつ、ＬＢ信号とＨＢ信号とを再度組合せる。ＬＢ処理回路３４およびＨＢ処理回路３６によって生成されたＬＢ信号およびＨＢ信号は、低損失低コストのダイプレクサを用いて再度組合され得る。なぜなら、ＬＢ信号とＨＢ信号との周波数分離は比較的大きくなり得るためである。
【００８５】
一実施例では、ＬＢ／ＨＢダイプレクサ３７は、約７１７ＭＨｚ〜約９６０ＭＨｚの範囲の周波数を有するＬＢ信号を、約２３００ＭＨｚ〜約２６９０ＭＨｚの範囲の周波数を有するＨＢ信号と再度組合せる。ＬＢ／ＨＢダイプレクサの周波数範囲の一例を提供したが、他の構成も可能である。
【００８６】
図３は、別の実施例に従ったＲＦシステム４５の概略ブロック図である。ＲＦシステム４５は、ダイバーシティモジュール５０と、ダイバーシティアンテナ５１と、ダイバーシティダイプレクサ５２とを含む。ダイバーシティダイプレクサ５２はダイバーシティアンテナ５１に電気的に結合されており、ＭＢ／ＨＢダイバーシティ受信信号とＬＢダイバーシティ受信信号とを生成するために使用される。図３に示すように、ＭＢ／ＨＢダイバーシティ受信信号は、ダイバーシティモジュール５０の第１のダイバーシティアンテナ端子ＡＮＴ１＿Ｄに提供され、ＬＢ受信信号は、ダイバーシティモジュール５０の第２のダイバーシティアンテナ端子ＡＮＴ２＿Ｄに提供される。
【００８７】
図２のＲＦシステム２５とは対照的に、図３のＲＦシステム４５はたった１つのダイバーシティアンテナに電気的に結合されており、それは、異なる周波数帯域に関連する複数のダイバーシティ受信信号へと分割される出力を有する。
【００８８】
ある構成では、ダイバーシティモジュールは複数のダイバーシティアンテナ端子を含んでいてもよく、それらは、同じまたは異なるダイバーシティアンテナからダイバーシティ信号を受信可能である。たとえば、図２は、２つのダイバーシティアンテナ端子と２つのダイバーシティアンテナとを含む構成を例示しており、一方、図３は、２つのダイバーシティアンテナ端子と１つのダイバーシティアンテナとを含む構成を例示している。したがって、ここでの教示は、１つのダイバーシティアンテナと組合されて動作するダイバーシティアンテナ、および複数のダイバーシティアンテナと組合されて動作するダイバーシティアンテナの双方に適用可能である。
【００８９】
ダイバーシティモジュール５０は、帯域選択スイッチ３３と、ＬＢ／ＨＢダイプレクサ３７と、第１のダイバーシティアンテナ端子ＡＮＴ１＿Ｄおよび第２のダイバーシティアンテナ端子ＡＮＴ２＿Ｄと、第１のダイバーシティ出力端子ＯＵＴ１＿Ｄおよび第２のダイバーシティ出力端子ＯＵＴ２＿Ｄとを含み、それらは前述のとおりであり得る。ダイバーシティモジュール５０はさらに、ＬＢ処理回路５４と、ＭＢ処理回路５５と、ＨＢ処理回路５６とを含む。
【００９０】
図３のダイバーシティモジュール５０は、図３のダイバーシティモジュール５０がＬＢ処理回路、ＭＢ処理回路、およびＨＢ処理回路の具体的な構成を示す点以外は、図２のダイバーシティモジュール３０と同様である。たとえば、例示されたＬＢ処理回路５４は、ＬＢフィルタ６１と第１の低雑音増幅器（low noise amplifier：ＬＮＡ）６４とのカスケードを含む。加えて、例示されたＭＢ処理回路５５は、ＭＢフィルタ６２と第２のＬＮＡ６５とのカスケードを含み、例示されたＨＢ処理回路５６は、ＨＢフィルタ６３と第３のＬＮＡ６６とのカスケードを含む。ＬＢ処理回路、ＭＢ処理回路、およびＨＢ処理回路の具体的な一実現化例を図３に示したが、他の構成も可能である。
【００９１】
ＲＦシステム４５のさらなる詳細は、前述のものと同様であり得る。
図４は、別の実施例に従ったＲＦシステム７５の概略ブロック図である。ＲＦシステム７５は、ダイバーシティモジュール８０と、ＬＢダイバーシティアンテナ３１と、組合せＭＢ／ＨＢダイバーシティアンテナ３２とを含む。
【００９２】
図４のＲＦシステム７５は、ＲＦシステム７５がダイバーシティモジュールの異なる構成を含む点以外は、図２のＲＦシステム２５と同様である。たとえば、図４のダイバーシティモジュール８０は、帯域選択スイッチ３３と、ＬＢ処理回路５４と、ＭＢ処理回路５５と、ＨＢ処理回路５６と、ＬＢ／ＨＢダイプレクサ３７と、第１のダイバーシティアンテナ端子ＡＮＴ１＿Ｄおよび第２のダイバーシティアンテナ端子ＡＮＴ２＿Ｄと、第１のダイバーシティ出力端子ＯＵＴ１＿Ｄおよび第２のダイバーシティ出力端子ＯＵＴ２＿Ｄとを含み、それらは前述のとおりであり得る。図４のＲＦシステム７５はさらに、単極３投（ＳＰ３Ｔ）スイッチ８１と、第１の単極単投（ＳＰＳＴ）スイッチ８２と、第２のＳＰＳＴスイッチ８３とを含む。
【００９３】
前述のように、帯域選択スイッチ３３は、第１の状態、第２の状態、および第３の状態を含む複数の状態を含み得る。第１の状態では、帯域選択スイッチ３３は、組合せＭＢ／ＨＢダイバーシティアンテナ３２からの受信信号をＭＢ処理回路５５に提供できるものの、ＨＢ処理回路５６には提供できない。加えて、第２の状態では、帯域選択スイッチ３３は、組合せＭＢ／ＨＢダイバーシティアンテナ３２からの受信信号をＨＢ処理回路５６に提供できるものの、ＭＢ処理回路５５には提供できない。さらに、第３の状態では、帯域選択スイッチ３３は、組合せＭＢ／ＨＢダイバーシティアンテナ３２からの受信信号をＭＢ処理回路５５およびＨＢ処理回路５６の双方に提供できる。
【００９４】
ＳＰ３Ｔスイッチ８１は、第１の状態ではＬＢ信号を第１のダイバーシティ出力端子ＯＵＴ１＿Ｄに提供し、第２の状態ではＨＢ信号を第１のダイバーシティ出力端子ＯＵＴ１＿Ｄ端子に提供し、第３の状態では組合せＬＢ／ＨＢ信号を第１のダイバーシティ出力端子ＯＵＴ１＿Ｄ端子に提供する、多投スイッチとして動作する。
【００９５】
ＳＰ３Ｔスイッチ８１と、第１のＳＰＳＴスイッチ８２および第２のＳＰＳＴスイッチ８３とは、図３に示す構成に比べ、図４のダイバーシティモジュール８０の性能を強化できる。たとえば、ダイバーシティモジュール８０がＨＢ信号とＬＢ信号との双方を処理している場合、第１のＳＰＳＴスイッチ８２および第２のＳＰＳＴスイッチ８３を閉じて、ＬＢ／ＨＢダイプレクサ３７の出力を第１のダイバーシティ出力端子ＯＵＴ１＿Ｄに電気的に接続するようにＳＰ３Ｔスイッチ８１を設定することが可能である。しかしながら、ダイバーシティモジュール８０がＨＢ信号を処理しているものの、ＬＢ信号を処理していない場合、第１のＳＰＳＴスイッチ８２および第２のＳＰＳＴスイッチ８３を開き、ＨＢ処理回路５６の出力を第１のダイバーシティ出力端子ＯＵＴ１＿Ｄに電気的に接続するようにＳＰ３Ｔスイッチ８１を設定することが可能である。加えて、ダイバーシティモジュール８０がＬＢ信号を処理しているものの、ＨＢ信号を処理していない場合、第１のＳＰＳＴスイッチ８２および第２のＳＰＳＴスイッチ８３を開き、ＬＢ処理回路５４の出力を第１のダイバーシティ出力端子ＯＵＴ１＿Ｄに電気的に接続するようにＳＰ３Ｔスイッチ８１を設定することが可能である。
【００９６】
したがって、ＳＰ３Ｔスイッチ８１と、第１のＳＰＳＴスイッチ８２および第２のＳＰＳＴスイッチ８３とは、ＬＢ信号が処理されていない場合にはＬＢ／ＨＢダイプレクサ３７からＨＢ処理回路の出力を分離することにより、また、ＨＢ信号が処理されていない場合にはＬＢ／ＨＢダイプレクサ３７からＬＢ処理回路の出力を分離することにより、ダイバーシティモジュール８０の性能を強化できる。
【００９７】
ＲＦシステム７５のさらなる詳細は、前述のものと同様であり得る。
図５は、ＬＢ一次アンテナ１０１と、組合せＭＢ／ＨＢ一次アンテナ１０２と、ＬＢダイバーシティアンテナ３１と、組合せＭＢ／ＨＢダイバーシティアンテナ３２と、ダイバーシティモジュール８０と、アンテナスイッチモジュール１０３とを含むＲＦシステム１００の一実施例の概略ブロック図である。
【００９８】
図５のＲＦシステム１００は、図４のダイバーシティモジュール８０を含むとして例示されているが、図５のＲＦシステム１００は、たとえば図２および図３に示すダイバーシティモジュールを含む、ダイバーシティモジュールの他の構成を用いて実現可能である。加えて、アンテナスイッチモジュール１０３は他の方法で実現可能であり、ＲＦシステム１００は、より多い、またはより少ない一次アンテナおよび／またはダイバーシティアンテナを含むように適合可能である。
【００９９】
例示されたアンテナスイッチモジュール１０３は、第１のＳＰ３Ｔスイッチ１０５と、第２のＳＰ３Ｔスイッチ１０６と、ＬＢ／ＨＢダイプレクサ１０７と、ＭＢ／ＨＢダイプレクサ１０８と、第１のＳＰＳＴスイッチ１１１と、第２のＳＰＳＴスイッチ１１２と、第３のＳＰＳＴスイッチ１１３と、第４のＳＰＳＴスイッチ１１４とを含む。アンテナスイッチモジュール１０３はさらに、ＬＢ一次端子ＬＢ＿Ｐ、ＭＢ一次端子ＭＢ＿Ｐ、ＨＢ一次端子ＨＢ＿Ｐ、ＬＢダイバーシティ端子ＬＢ＿Ｄ、ＭＢダイバーシティ端子ＭＢ＿Ｄ、およびＨＢダイバーシティ端子ＨＢ＿Ｄとを含み、それらは、送受信機（図５に例示せず）に電気的に結合可能である。加えて、アンテナスイッチモジュール１０３はさらに、ＬＢ一次アンテナ１０１に電気的に結合された第１の一次アンテナ端子ＡＮＴ１＿Ｐと、組合せＭＢ／ＨＢ一次アンテナ１０２に電気的に結合された第２の一次アンテナ端子ＡＮＴ２＿Ｐと、ダイバーシティモジュール８０の第１のダイバーシティ出力端子ＯＵＴ１＿Ｄに電気的に結合された第１のダイバーシティ入力端子ＩＮ１＿Ｄと、ダイバーシティモジュール８０の第２のダイバーシティ出力端子ＯＵＴ２＿Ｄに電気的に結合された第２のダイバーシティ入力端子ＩＮ２＿Ｄとを含む。
【０１００】
図５に示すように、ダイバーシティモジュール８０とアンテナスイッチモジュール１０３との間には、共有ＬＢ／ＨＢ信号ルート１１５と、別個のＭＢ信号ルート１１６とが設けられている。概略的な形で例示されているものの、これらの信号ルートは、ＰＣＢトレースおよび／またはケーブルを含み得る。このため、共有ＬＢ／ＨＢ信号ルートを使用することは、ＨＢ信号およびＬＢ信号のために別々の信号ルートが設けられている構成に比べ、ＲＦ信号ルーティングオーバーヘッドを減少させることができる。
【０１０１】
図５に示すように、アンテナスイッチモジュール１０３は、ダイバーシティモジュール８０から組合せＬＢ／ＨＢ信号および別個のＭＢ信号を受信する。加えて、アンテナスイッチモジュール１０３は、ＬＢダイバーシティ端子ＬＢ＿Ｄ、ＭＢダイバーシティ端子ＭＢ＿Ｄ、およびＨＢダイバーシティ端子ＨＢ＿Ｄを使用して、ＬＢダイバーシティ信号、ＭＢダイバーシティ信号、およびＨＢダイバーシティ信号をそれぞれ送受信機に提供可能である。さらに、送受信機とアンテナスイッチモジュール１０３とは、一次アンテナ１０１、１０２を用いる一次通信に関連する信号を送信または受信するために使用可能であるＬＢ一次端子ＬＢ＿Ｐ、ＭＢ一次端子ＭＢ＿Ｐ、およびＨＢ一次端子ＨＢ＿Ｐを使用して、互いに電気的に結合されている。
【０１０２】
アンテナスイッチモジュール１０３の第１のＳＰ３Ｔスイッチ１０５と第１のＳＰＳＴスイッチ１１１および第２のＳＰＳＴスイッチ１１２とは、所望のＨＢダイバーシティ信号およびＬＢダイバーシティ信号を受信するように設定可能である。たとえば、送受信機がＨＢダイバーシティ信号およびＬＢダイバーシティ信号の双方を受信する場合、第１のＳＰＳＴスイッチ１１１および第２のＳＰＳＴスイッチ１１２は閉じられ、第１のＳＰ３Ｔスイッチ１０５は、第１のダイバーシティ入力端子ＩＮ１＿ＤをダイプレクサＬＢ／ＨＢダイプレクサ１０７の入力に電気的に接続するために使用可能である。加えて、送受信機がＨＢダイバーシティ信号を受信するものの、ＬＢダイバーシティ信号を受信しない場合、第１のＳＰＳＴスイッチ１１１および第２のＳＰＳＴスイッチ１１２は開かれ、第１のＳＰ３Ｔスイッチ１０５は、第１のダイバーシティ入力端子ＩＮ１＿ＤをＨＢダイバーシティ端子ＨＢ＿Ｄに電気的に接続するために設定可能である。さらに、送受信機がＬＢダイバーシティ信号を受信するものの、ＨＢダイバーシティ信号を受信しない場合、第１のＳＰＳＴスイッチ１１１および第２のＳＰＳＴスイッチ１１２は開かれ、第１のＳＰ３Ｔスイッチ１０５は、第１のダイバーシティ入力端子ＩＮ１＿ＤをＬＢダイバーシティ端子ＬＢ＿Ｄに電気的に接続するために使用可能である。
【０１０３】
アンテナスイッチモジュール１０３の第２のＳＰ３Ｔスイッチ１０６と第３のＳＰＳＴスイッチ１１３および第４のＳＰＳＴスイッチ１１４とは、組合せＭＢ／ＨＢ一次アンテナ１０２を通した一次信号通信を制御するように設定可能である。
【０１０４】
ＲＦシステム１００のさらなる詳細は、前述のものと同様であり得る。
図６は、別の実施例に従ったＲＦシステム１２０の概略ブロック図である。ＲＦシステム１２０は、ＬＢダイバーシティアンテナ３１と、組合せＭＢ／ＨＢダイバーシティアンテナ３２と、ダイバーシティモジュール１３０とを含む。
【０１０５】
ダイバーシティモジュール１３０は、単極７投（ＳＰ７Ｔ）スイッチ１２１と、単極９投（ＳＰ９Ｔ）帯域選択スイッチ１２２と、単極５投（ＳＰ５Ｔ）スイッチ１２３と、単極２投（ＳＰ２Ｔ）スイッチ１２４と、第１のインピーダンス１２５と、第２のインピーダンス１２６と、ＬＢ／ＨＢダイプレクサ３７と、第１のＳＰＳＴスイッチ８２および第２のＳＰＳＴスイッチ８３と、ＬＢ処理回路１３１と、ＭＢ処理回路１３２と、ＨＢ処理回路１３３とを含む。ＬＢ処理回路１３１は、第１〜第８のＬＢフィルタ６１ａ〜６１ｈと、第１〜第８のＬＢ  ＬＮＡ６４ａ〜６４ｈとを含む。ＭＢ処理回路１３２は、第１〜第６のＭＢフィルタ６２ａ〜６２ｆと、第１〜第６のＭＢ  ＬＮＡ６５ａ〜６５ｆとを含む。ＨＢ処理回路１３３は、第１〜第４のＨＢフィルタ６３ａ〜６３ｄと、第１〜第４のＨＢ  ＬＮＡ６６ａ〜６６ｄとを含む。ダイバーシティモジュール１３０はさらに、第１の双方向端子ＢＩ１と、第２の双方向端子ＢＩ２と、第１のダイバーシティアンテナ端子ＡＮＴ１＿Ｄと、第２のダイバーシティアンテナ端子ＡＮＴ２＿Ｄとを含む。
【０１０６】
例示された構成では、ダイバーシティモジュール１３０は、一次ＬＢ信号を送信するためにＬＢダイバーシティアンテナ３１が使用され、一次ＭＢ／ＨＢ信号を送信するために組合せＭＢ／ＨＢダイバーシティアンテナ３２が使用されるスワップモードで、動作可能である。ダイバーシティモジュール１３０をスワップモードで実現することは、たとえば一次アンテナが遮断または妨害されている場合に、モバイル装置が一次送信用にダイバーシティアンテナを選択的に使用できるようにすることにより、モバイル装置の性能を強化することができる。たとえば、モバイル装置は、ダイバーシティアンテナを介して信号を送信することによって性能が強化され得るように、一次アンテナを遮断または妨害する態様で、ユーザによって表面上に設定されてもよい。
【０１０７】
ＳＰ７Ｔスイッチ１２１は、ＬＢダイバーシティアンテナ３１を、第１のインピーダンス１２５に、またはＬＢバイパス経路１３５を介してＳＰ５Ｔスイッチ１２３を通して第１の双方向端子ＢＩ１に、または異なる低周波数帯域に関連するさまざまなＬＢフィルタ６１ａ〜６１ｈに接続するために使用可能である。ＬＢバイパス経路１３５を選択するようにＳＰ７Ｔスイッチ１２１およびＳＰ５Ｔスイッチ１２３を設定することにより、スワップモード中、一次ＬＢ送信信号がＬＢダイバーシティアンテナ３１に提供され得る。この態様で動作されると、第１の双方向端子ＢＩ１は一次送信信号を受信する。しかしながら、ダイバーシティモジュール１３０がスワップモードで動作していない場合、ダイバーシティモジュール１３０は、第１の双方向端子ＢＩ１を共有ＬＢ／ＨＢダイバーシティ端子として使用可能である。したがって、例示された構成では、第１の双方向端子ＢＩ１は、双方向信号フローで動作可能である。
【０１０８】
ＳＰ９Ｔ帯域選択スイッチ１２２は、組合せＭＢ／ＨＢダイバーシティアンテナ３２を、第２のインピーダンス１２６に、またはＭＢ／ＨＢバイパス経路１３６を介してＳＰ２Ｔスイッチ１２４を通して第２の双方向端子ＢＩ２に電気的に接続するために使用可能である。ＳＰ９Ｔ帯域選択スイッチ１２２およびＳＰ２Ｔスイッチ１２４が、スワップモード中、ＭＢ／ＨＢバイパス経路１３６を選択するように使用される場合、一次ＭＢ／ＨＢ送信信号が組合せＭＢ／ＨＢダイバーシティアンテナ３２に提供され得る。
【０１０９】
加えて、ＳＰ９Ｔ帯域選択スイッチ１２２は、組合せＭＢ／ＨＢダイバーシティアンテナ３２を、異なる中周波数帯域に関連するさまざまなＭＢフィルタ６２ａ〜６２ｆに、および／または、異なる高周波数帯域に関連するさまざまなＨＢフィルタ６３ａ〜６３ｄに電気的に接続するために使用可能である。例示された構成では、ＳＰ９Ｔ帯域選択スイッチ１２２は、組合せＭＢ／ＨＢダイバーシティアンテナ３２からの受信信号を、ＭＢフィルタおよびＨＢフィルタの双方に、所望すれば同時に提供可能である。組合せＭＢ／ＨＢダイバーシティアンテナ３２からの受信信号がＭＢフィルタおよびＨＢフィルタの双方に提供される状態を含むように、ＳＰ９Ｔ帯域選択スイッチ１２２を構成することは、前述のものと同様の態様でキャリアアグリゲーションを提供するのに役立ち得る。例示された構成では、第２の双方向端子ＢＩ２は、双方向信号フローで動作可能である。
【０１１０】
例示された構成では、第１のＬＢフィルタ６１ａは帯域２９をフィルタリングし、第２のＬＢフィルタ６１ｂは帯域２７をフィルタリングし、第３のＬＢフィルタ６１ｃは帯域２８のブロックＡをフィルタリングし、第４のＬＢフィルタ６１ｄは帯域２８のブロックＢをフィルタリングし、第５のＬＢフィルタ６１ｅは帯域５、帯域６、帯域１８、帯域１９、および帯域２６をフィルタリングし、第６のＬＢフィルタ６１ｆは帯域１２、帯域１３、および帯域１７をフィルタリングし、第７のＬＢフィルタ６１ｇは帯域２０をフィルタリングし、第８のＬＢフィルタ６１ｈは帯域８をフィルタリングする。加えて、第１のＭＢフィルタ６２ａは帯域３をフィルタリングし、第２のＭＢフィルタ６２ｂは帯域１をフィルタリングし、第３のＭＢフィルタ６２ｃは帯域１および帯域４をフィルタリングし、第４のＭＢフィルタ６２ｄは帯域２５および帯域２をフィルタリングし、第５のＭＢフィルタ６２ｅは帯域３９をフィルタリングし、第６のＭＢフィルタ６２ｆは帯域３４をフィルタリングする。さらに、第１のＨＢフィルタ６３ａは帯域７をフィルタリングし、第２のＨＢフィルタ６３ｂは帯域３０をフィルタリングし、第３のＨＢフィルタ６３ｃは帯域４０をフィルタリングし、第４のＬＢフィルタ６３ｄは帯域４１をフィルタリングする。
【０１１１】
可能なＬＢフィルタ、ＭＢフィルタ、およびＨＢフィルタならびに帯域の一例を提供したが、他の構成も可能である。
【０１１２】
ダイバーシティモジュール１３０は、ある構成では、ダイバーシティモジュールが、複数の高周波数帯域、複数の中周波数帯域、および／または複数の低周波数帯域を用いて動作するように構成可能である、ということを例示している。加えて、ＬＢ／ＨＢダイプレクサ３７は、ＬＢ信号とＨＢ信号とを組合せて、ＲＦシステムの他の場所へルーティング可能な組合せＬＢ／ＨＢ信号を生成するために使用可能である。
【０１１３】
図７は、別の実施例に従ったＲＦシステム２００の概略ブロック図である。ＲＦシステム２００は、ダイバーシティモジュール２１０と、ＬＢダイバーシティアンテナ３１と、組合せＭＢ/ＨＢダイバーシティアンテナ３２とを含む。
【０１１４】
ダイバーシティモジュール２１０は、帯域選択スイッチ３３と、ＬＢ処理回路３４と、ＭＢ処理回路３５と、ＨＢ処理回路３６と、第１のダイバーシティアンテナ端子ＡＮＴ１＿Ｄおよび第２のダイバーシティアンテナ端子ＡＮＴ２＿Ｄと、第１のダイバーシティ出力端子ＯＵＴ１＿Ｄおよび第２のダイバーシティ出力端子ＯＵＴ２＿Ｄとを含み、それらは前述のとおりであり得る。加えて、ダイバーシティモジュール２１０は、ＳＰ２Ｔスイッチ２０７を含む。
【０１１５】
図７のダイバーシティモジュール２１０は、図７のダイバーシティモジュール２１０がＳＰ２Ｔスイッチ２０７を含む代わりに図２のＬＢ／ＨＢダイプレクサ３７を省略している点以外は、図２のダイバーシティモジュール３０と同様である。図７に示すように、ＳＰ２Ｔスイッチ２０７は、ＬＢ処理回路３４によって生成されたＬＢ信号、またはＨＢ処理回路３６によって生成されたＨＢ信号を、第１のダイバーシティ出力端子ＯＵＴ１＿Ｄに提供するために使用可能であり、それは共有ＬＢ／ＨＢ出力端子として動作する。したがって、図２のダイバーシティモジュール３０について示すように第１のダイバーシティ出力端子ＯＵＴ１＿Ｄ上で組合せＬＢ／ＨＢ信号を送信する代わりに、例示された構成は、所与の時点でＬＢ信号とＨＢ信号との間で選択する。たとえば、ＳＰ２Ｔスイッチ２０７は、第１の状態ではＬＢ信号を第１のダイバーシティ出力端子ＯＵＴ１＿Ｄに提供し、第２の状態ではＨＢ信号を第１のダイバーシティ出力端子ＯＵＴ１＿Ｄに提供する多投スイッチの一例を例示する。
【０１１６】
例示された構成は、たとえば、モバイル装置の送受信機が、ＬＢダイバーシティアンテナ３１およびＭＢ／ＨＢダイバーシティアンテナ３２からＬＢ信号およびＨＢ信号を同時に受信する必要がない構成において使用可能である。
【０１１７】
図７のダイバーシティモジュール２１０のさらなる詳細は、前述のものと同様であり得る。
【０１１８】
相互変調歪みが低いダイバーシティモジュールの例
ダイバーシティモジュールのための装置および方法がここに提供される。ある構成では、ダイバーシティモジュールは、第１のアンテナ側多投スイッチと、第２のアンテナ側多投スイッチと、第１の送信機側多投スイッチと、第２の送信機側多投スイッチと、低帯域（ＬＢ）処理回路と、中帯域（ＭＢ）処理回路と、高帯域（ＨＢ）処理回路とを含む。ＬＢ処理回路は、第１のアンテナ側多投スイッチと第１の送受信機側多投スイッチとの間の第１の信号経路において電気的に結合されており、ＭＢ処理回路は、第２の送受信機側多投スイッチと第２の送受信機側多投スイッチとの間の第２の信号経路において電気的に結合されており、ＨＢ処理回路は、第２のアンテナ側多投スイッチと第１の送信機側多投スイッチとの間の第３の信号経路において電気的に結合されている。
【０１１９】
ダイバーシティモジュールはさらに、第１の送受信機側多投スイッチと第１のアンテナ側多投スイッチとを使用して選択可能な、ＬＢ送信バイパス経路といった第１の送信バイパス経路を含み得る。加えて、ダイバーシティモジュールはさらに、第２の送受信機側多投スイッチと第２のアンテナ側多投スイッチとを使用して選択可能な、ＭＢおよび／またはＨＢ送信バイパス経路といった第２の送信バイパス経路を含み得る。第１および／または第２の送信バイパス経路は、一次信号送信のために、アンテナ側多投スイッチに電気的に結合されたダイバーシティアンテナが使用されるスワップモード中に使用可能である。
【０１２０】
第２のアンテナ側多投スイッチと第１の送信機側多投スイッチとの間にＨＢ処理回路を電気的に結合することは、ダイバーシティモジュールの性能を強化することができる。たとえば、以下により詳細に説明されるように、第２のアンテナ側多投スイッチと第１の送信機側多投スイッチとの間にＨＢ処理回路を電気的に結合することは、ＭＢ一次送信信号および／またはＨＢ一次送信信号に関連するＨＢ処理回路の出力での相互変調を減少または排除することができる。したがって、ここでのダイバーシティモジュールは、より小さい相互変調歪みおよび／またはより大きい分離を含む、強化された性能を提示することができる。
【０１２１】
図８は、別の実施例に従ったダイバーシティモジュール５００の概略ブロック図である。ダイバーシティモジュール５００は、第１のアンテナ側多投スイッチ５０１と、第２のアンテナ側多投スイッチ５０２と、第１の送受信機側多投スイッチ５０３と、第２の送受信機側多投スイッチ５０４と、ＬＢ処理回路３４と、ＭＢ処理回路３５と、ＨＢ処理回路３６とを含む。ダイバーシティモジュール５００はさらに、第１のダイバーシティアンテナ端子ＡＮＴ１＿Ｄと、第２のダイバーシティアンテナ端子ＡＮＴ２＿Ｄと、第１の双方向端子ＢＩ１と、第２の双方向端子ＢＩ２とを含む。
【０１２２】
ダイバーシティモジュール５００は、ダイバーシティモジュール５００のアンテナ側で動作する第１のダイバーシティアンテナ端子ＡＮＴ１＿Ｄおよび第２のダイバーシティアンテナ端子ＡＮＴ２＿Ｄを介して、１つ以上のダイバーシティアンテナに電気的に結合可能である。加えて、ダイバーシティモジュール５００は、ダイバーシティモジュール５００の送受信機側で動作する第１の双方向端子ＢＩ１および第２の双方向端子ＢＩ２を介して、（たとえば、アンテナスイッチモジュールによって）送受信機に電気的に結合可能である。
【０１２３】
図８に示すように、第１のアンテナ側多投スイッチ５０１は第１のダイバーシティアンテナ端子ＡＮＴ１＿Ｄに電気的に結合され、第２のアンテナ側多投スイッチ５０２は第２のダイバーシティアンテナ端子ＡＮＴ２＿Ｄに電気的に結合され、第１の送受信機側多投スイッチ５０３は第１の双方向端子ＢＩ１に電気的に結合され、第２の送受信機側多投スイッチ５０４は第２の双方向端子ＢＩ２に電気的に結合されている。
【０１２４】
ＬＢ処理回路３４は、第１のアンテナ側多投スイッチ５０１と第１の送受信機側多投スイッチ５０３との間の第１の信号経路において電気的に結合されている。第１のアンテナ側多投スイッチ５０１および第１の送受信機側多投スイッチ５０３の状態が、ＬＢ処理回路３４を選択するように設定されている場合、ＬＢ処理回路３４は、第１のダイバーシティアンテナ端子ＡＮＴ１＿Ｄ上で受信されたダイバーシティ信号を処理して、第１の双方向端子ＢＩ１上にＬＢ信号を生成することができる。
【０１２５】
ＭＢ処理回路３５は、第２のアンテナ側多投スイッチ５０２と第２の送受信機側多投スイッチ５０４との間の第２の信号経路において電気的に結合されている。第２のアンテナ側多投スイッチ５０２および第２の送受信機側多投スイッチ５０４の状態が、ＭＢ処理回路３５を選択するように設定されている場合、ＭＢ処理回路３５は、第２のダイバーシティアンテナ端子ＡＮＴ２＿Ｄ上で受信されたダイバーシティ信号を処理して、第２の双方向端子ＢＩ２上にＭＢ信号を生成することができる。
【０１２６】
ＨＢ処理回路３６は、第２のアンテナ側多投スイッチ５０２と第１の送受信機側多投スイッチ５０３との間の第３の信号経路において電気的に結合されている。第２のアンテナ側多投スイッチ５０２および第１の送受信機側多投スイッチ５０３の状態が、ＨＢ処理回路３６を選択するように設定されている場合、ＨＢ処理回路３６は、第２のダイバーシティアンテナ端子ＡＮＴ２＿Ｄ上で受信されたダイバーシティ信号を処理して、第１の双方向端子ＢＩ１上にＨＢ信号を生成することができる。
【０１２７】
例示されたダイバーシティモジュール５００はさらに、第１のアンテナ側多投スイッチ５０１と第１の送受信機側多投スイッチ５０３との間に、第１の送信バイパス経路５１１を含む。第１のアンテナ側多投スイッチ５０１および第１の送受信機側多投スイッチ５０３の状態が、第１の送信バイパス経路５１１を選択するように設定されている場合、第１の双方向端子ＢＩ１上で受信された送信信号は、第１のダイバーシティアンテナ端子ＡＮＴ１＿Ｄに提供可能である。例示されたダイバーシティモジュール５００はさらに、第２のアンテナ側多投スイッチ５０２と第２の送受信機側多投スイッチ５０４との間に、第２の送信バイパス経路５１２を含む。第２のアンテナ側多投スイッチ５０２および第２の送受信機側多投スイッチ５０４の状態が、第２の送信バイパス経路５１２を選択するように設定されている場合、第２の双方向端子ＢＩ２上で受信された送信信号は、第２のダイバーシティアンテナ端子ＡＮＴ２＿Ｄに提供可能である。
【０１２８】
第１の送信バイパス経路５１１および第２の送信バイパス経路５１２は、ダイバーシティモジュール５００のスワップモード中、送受信機がダイバーシティアンテナを使用して一次信号を送信できるようにするために使用可能である。たとえば、一実施例では、第１の送信バイパス経路５１１は、スワップモード中、ＬＢ一次送信信号を送信するために、送受信機によって使用可能であり、第２の送信バイパス経路５１２は、スワップモード中、ＭＢおよび／またはＨＢ一次送信信号を送信するために、送受信機によって使用可能である。ダイバーシティモジュールをスワップモードで実現することは、一次アンテナが遮断または妨害されている場合など、一次アンテナを介した通信が損なわれている場合に、送受信機がダイバーシティアンテナを介して送信できるようにすることにより、モバイル装置の性能を強化することができる。
【０１２９】
図８は多投スイッチ間のある信号経路を例示しているが、多投スイッチは、追加の経路の選択を提供するように適合可能である。たとえば、図６を再度参照すると、多投スイッチは、複数の低帯域、複数の中帯域、および／または複数の高帯域の選択のために使用可能である。さらに、ダイバーシティモジュールは、追加の回路または端子といった追加の構造を含むように適合可能である。
【０１３０】
例示された構成では、ＨＢ処理回路３６は、第２のアンテナ側多投スイッチ５０２と第１の送受信機側多投スイッチ５０３との間の信号経路において電気的に結合されている。以下により詳細に説明されるように、この態様でＨＢ処理回路３６を構成することは、高周波数の送信漏れがＨＢ処理回路３６の出力に到達して相互変調を生成することを阻止することにより、ダイバーシティモジュール５００の性能を強化することができる。
【０１３１】
ダイバーシティモジュール５００のさらなる詳細は、前述のものと同様であり得る。
図９Ａは、ＲＦシステム２２０の一例の概略ブロック図である。ＲＦシステム２２０は、ダイバーシティモジュール２３０と、アンテナスイッチモジュール２４０と、ＬＢダイバーシティアンテナ３１と、組合せＭＢ／ＨＢダイバーシティアンテナ３２と、組合せＭＢ／ＨＢ一次アンテナ１０２とを含む。
【０１３２】
ダイバーシティモジュール２３０は、アンテナ側ＳＰ２Ｔスイッチ２１１と、アンテナ側ＳＰ３Ｔスイッチ２１２と、送受信機側ＳＰ２Ｔスイッチ２１３と、送受信機側ＳＰ３Ｔスイッチ２１４とを含む。ダイバーシティモジュール２３０はさらに、ＬＢフィルタ２３１とＬＢ  ＬＮＡ２３４とを含むＬＢ処理回路を含む。ダイバーシティモジュール２３０はさらに、ＭＢフィルタ２３２とＭＢ  ＬＮＡ２３５とを含むＭＢ処理回路を含む。ダイバーシティモジュール２３０はさらに、ＨＢフィルタ２３３とＨＢ  ＬＮＡ２３６とを含むＨＢ処理回路を含む。ダイバーシティモジュール２３０はさらに、第１の双方向端子ＢＩ１と、第２の双方向端子ＢＩ２と、ＬＢダイバーシティアンテナ３１に電気的に結合された第１のダイバーシティアンテナ端子ＡＮＴ１＿Ｄと、組合せＭＢ／ＨＢダイバーシティアンテナ３２に電気的に結合された第２のダイバーシティアンテナ端子ＡＮＴ２＿Ｄとを含む。
【０１３３】
図９Ａに示すように、ＬＢ処理回路は、アンテナ側ＳＰ２Ｔスイッチ２１１と送受信機側ＳＰ２Ｔスイッチ２１３との間の第１の信号経路において電気的に結合されている。加えて、ＭＢ処理回路は、アンテナ側ＳＰ３Ｔスイッチ２１２と送受信機側ＳＰ３Ｔスイッチ２１４との間の第２の信号経路において電気的に結合されている。さらに、ＨＢ処理回路は、アンテナ側ＳＰ３Ｔスイッチ２１２と送受信機側ＳＰ３Ｔスイッチ２１４との間の第３の信号経路において電気的に結合されている。例示されたダイバーシティモジュール２３０はさらに、アンテナ側ＳＰ２Ｔスイッチ２１１と送受信機側ＳＰ２Ｔスイッチ２１３との間のＬＢ送信バイパス経路２５１と、アンテナ側ＳＰ３Ｔスイッチ２１２と送受信機側ＳＰ３Ｔスイッチ２１４との間のＭＢ／ＨＢ送信バイパス経路２５２とを含む。
【０１３４】
アンテナスイッチモジュール２４０は、第１のＳＰ２Ｔスイッチ２４１と、第２のＳＰ２Ｔスイッチ２４２とを含む。アンテナスイッチモジュール２４０はさらに、組合せＭＢ／ＨＢ一次アンテナ１０２に電気的に結合された一次アンテナ端子と、ダイバーシティモジュール２３０の第１の双方向端子ＢＩ１に電気的に結合された第１の双方向端子ＢＩ１と、ダイバーシティモジュール２３０の第２の双方向端子ＢＩ２に電気的に結合された第２の双方向端子ＢＩ２とを含む。アンテナスイッチモジュール２４０はさらに、一次ＭＢおよびＨＢ端子ＭＢ／ＨＢ＿Ｐと、ダイバーシティＭＢおよびＨＢ端子ＭＢ／ＨＢ＿Ｄと、ＬＢ端子ＬＢとを含む。
【０１３５】
ある構成では、１つ以上のダイバーシティアンテナを使用して信号を送信することが、モバイル装置にとって望ましくなり得る。たとえば、あるモバイル装置は、１つ以上のダイバーシティアンテナを使用して一次ＬＢ信号、一次ＭＢ信号、および／または一次ＨＢ信号が送信されるスワップモードをモバイル装置が含み得るように、構成可能である。
【０１３６】
たとえば、スワップモードでは、ＭＢ／ＨＢ送信バイパス経路２５２を選択し、ＭＢ／ＨＢ＿Ｐ端子を組合せＭＢ／ＨＢダイバーシティアンテナ３２に電気的に接続するために、第２のＳＰ２Ｔスイッチ２４２、送受信機側ＳＰ３Ｔスイッチ２１４、およびアンテナ側ＳＰ３Ｔスイッチ２１２が使用可能である。加えて、スワップモードでは、ＬＢ送信バイパス経路２５１を選択し、ＬＢ端子をＬＢダイバーシティアンテナ３１に電気的に接続するために、送受信機側ＳＰ２Ｔスイッチ２１３およびアンテナ側ＳＰ２Ｔスイッチ２１１が使用可能である。
【０１３７】
スワップモードを含むようにＲＦシステムを構成することは、一次信号およびダイバーシティ信号の送受信における柔軟性を提供し得るものの、そのような実現化例は性能を低下させる場合もあり得る。
【０１３８】
たとえば、ＲＦシステム２２０が（スワップモードではなく）通常動作モードにある場合、ＲＦシステム２２０は、組合せＭＢ／ＨＢダイバーシティアンテナ３２上でＨＢダイバーシティ信号を受信し、組合せＭＢ／ＨＢ一次アンテナ１０２上でＨＢ一次信号を送信するかもしれない。そのような構成では、アンテナスイッチモジュール２４０およびダイバーシティモジュール２３０の多投スイッチは、一次ＭＢおよびＨＢ端子ＭＢ／ＨＢ＿Ｐが組合せＭＢ／ＨＢ一次アンテナ１０２に電気的に結合されるように、かつ、ダイバーシティＭＢおよびＨＢ端子ＭＢ／ＨＢ＿Ｄ端子がＨＢ  ＬＮＡ２３６の出力に電気的に結合されるように、設定可能である。
【０１３９】
アンテナスイッチモジュール２４０およびダイバーシティモジュール２３０の多投スイッチがこのような態様で設定される場合、有限のスイッチ分離が、第２のＳＰ２Ｔスイッチ２４２を通した送信漏れ２４９をもたらすかもしれず、それは、一次ＭＢおよびＨＢ端子ＭＢ／ＨＢ＿Ｐ上の送信信号の一部がＨＢ  ＬＮＡ２３６の出力に到達することをもたらすかもしれない。一次ＭＢおよびＨＢ端子ＭＢ／ＨＢ＿Ｐ上の送信信号は電力増幅器（たとえば図１参照）によって生成可能であるため、送信信号は比較的大きい電力を有するかもしれず、送信漏れ２４９に関連する電力は比較的大きいかもしれない。
【０１４０】
送信漏れ２４９は、ＨＢ  ＬＮＡ２３６の出力での相互変調をもたらし得る。この相互変調は、一次ＭＢおよびＨＢ端子ＭＢ／ＨＢ＿Ｐ上の送信信号の送信周波数に関連する場合があり、および、組合せＭＢ／ＨＢダイバーシティアンテナ３２に関連する遮断または妨害周波数に関連する場合がある。
【０１４１】
分離を強化し、送信漏れ２４９によって生じる相互変調を減少させるために、ＨＢ  ＬＮＡ２３６の出力にフィルタが含まれてもよい。しかしながら、そのようなフィルタは、ＲＦシステムのサイズおよび／コストを増加させるかもしれない。
【０１４２】
図９Ｂは、ＲＦシステム２５０の一実施例の概略ブロック図である。ＲＦシステム２５０は、ダイバーシティモジュール２６０と、アンテナスイッチモジュール２７０と、ダイバーシティＬＢダイバーシティアンテナ３１と、組合せＭＢ／ＨＢダイバーシティアンテナ３２と、組合せＭＢ／ＨＢ一次アンテナ１０２とを含む。
【０１４３】
ダイバーシティモジュール２６０は、アンテナ側ＳＰ２Ｔスイッチ２７１と、アンテナ側ＳＰ３Ｔスイッチ２７２と、送受信機側ＳＰ３Ｔスイッチ２７３と、送受信機側ＳＰ２Ｔスイッチ２７４とを含む。ダイバーシティモジュール２６０はさらに、ＬＢ処理回路５４と、ＭＢ処理回路５５と、ＨＢ処理回路５６とを含み、それらは前述のとおりであり得る。ダイバーシティモジュール２６０はさらに、ＬＢダイバーシティアンテナ３１に電気的に結合された第１のダイバーシティアンテナ端子ＡＮＴ１＿Ｄと、組合せＭＢ／ＨＢダイバーシティアンテナ３２に電気的に結合された第２のダイバーシティアンテナ端子ＡＮＴ２＿Ｄと、第１の双方向端子ＢＩ１と、第２の双方向端子ＢＩ２とを含む。
【０１４４】
図９Ｂに示すように、ＬＢ処理回路５４は、アンテナ側ＳＰ２Ｔスイッチ２７１と送受信機側ＳＰ３Ｔスイッチ２７３との間の第１の信号経路において電気的に結合されている。加えて、ＭＢ処理回路５５は、アンテナ側ＳＰ３Ｔスイッチ２７２と送受信機側ＳＰ２Ｔスイッチ２７４との間の第２の信号経路において電気的に結合されている。さらに、ＨＢ処理回路５６は、アンテナ側ＳＰ３Ｔスイッチ２７２と送受信機側ＳＰ３Ｔスイッチ２７３との間の第３の信号経路において電気的に結合されている。例示されたダイバーシティモジュール２６０はさらに、アンテナ側ＳＰ２Ｔスイッチ２７１と送受信機側ＳＰ３Ｔスイッチ２７３との間のＬＢ送信バイパス経路２８１と、アンテナ側ＳＰ３Ｔスイッチ２７２と送受信機側ＳＰ２Ｔスイッチ２７４との間のＭＢ／ＨＢ送信バイパス経路２８２とを含む。
【０１４５】
例示された構成では、アンテナ側ＳＰ３Ｔスイッチ２７２は、組合せＭＢ／ＨＢダイバーシティアンテナ３２上で受信されたダイバーシティ信号を、ＭＢ処理回路５５の入力に、またはＨＢ処理回路５６の入力に提供するために使用可能である。ダイバーシティモジュール２６０がスワップモードで動作している場合、アンテナ側ＳＰ３Ｔスイッチ２７２はまた、ＭＢ／ＨＢ一次送信信号をＭＢ／ＨＢ送信バイパス経路２８２を介して組合せＭＢ／ＨＢダイバーシティアンテナ３２に提供するために使用可能である。送受信機側ＳＰ２Ｔスイッチ２７４は、ＭＢ処理回路５５によって生成されたＭＢ信号を、ダイバーシティモジュールの第２の双方向端子ＢＩ２に提供するために使用可能である。加えて、ダイバーシティモジュール２６０がスワップモードで動作している場合、送受信機側ＳＰ２Ｔスイッチ２７４は、第２の双方向端子ＢＩ２をＭＢ／ＨＢ送信バイパス経路２８２に電気的に接続するために使用可能である。
【０１４６】
アンテナ側ＳＰ２Ｔスイッチ２７１は、ＬＢダイバーシティアンテナ３１上で受信されたダイバーシティ信号を、ＬＢ処理回路５４の入力に提供するために使用可能である。ダイバーシティモジュール２６０がスワップモードで動作している場合、アンテナ側ＳＰ２Ｔスイッチ２７１はまた、ＬＢ一次送信信号をＬＢ送信バイパス経路２８１を介してＬＢダイバーシティアンテナ３１に提供するために使用可能である。送受信機側ＳＰ３Ｔスイッチ２７３は、ＨＢ処理回路５６によって生成されたＨＢ信号を第１の双方向端子ＢＩ１に提供するために、または、ＬＢ処理回路５４によって生成されたＬＢ信号を第１の双方向端子ＢＩ１に提供するために使用可能である。加えて、ダイバーシティモジュール２６０がスワップモードで動作している場合、送受信機側ＳＰ３Ｔスイッチ２７３は、第１の双方向端子ＢＩ１をＬＢ送信バイパス経路２８１に電気的に接続するために使用可能である。
【０１４７】
アンテナスイッチモジュール２７０は、第１のＳＰ２Ｔスイッチ２６１と、第２のＳＰ２Ｔスイッチ２６２とを含む。アンテナスイッチモジュール２７０はさらに、組合せＭＢ／ＨＢ一次アンテナ１０２に電気的に結合された一次アンテナ端子と、ダイバーシティモジュール２６０の第１の双方向端子ＢＩ１に電気的に結合された第１の双方向端子ＢＩ１と、ダイバーシティモジュール２６０の第２の双方向端子ＢＩ２に電気的に結合された第２の双方向端子ＢＩ２とを含む。アンテナスイッチモジュール２７０はさらに、一次ＭＢおよびＨＢ端子ＭＢ／ＨＢ＿Ｐと、ダイバーシティＬＢおよびＨＢ端子ＬＢ／ＨＢ＿Ｄと、ダイバーシティＭＢ端子ＭＢ＿Ｄとを含む。
【０１４８】
ＲＦシステム２５０の（スワップモードではなく）通常動作モード中、ＲＦシステム２５０は、組合せＭＢ／ＨＢダイバーシティアンテナ３２上でＨＢダイバーシティ信号を受信し、組合せＭＢ／ＨＢ一次アンテナ１０２上でＨＢ一次信号を送信するかもしれない。アンテナスイッチモジュール２７０およびダイバーシティモジュール２６０のスイッチがこのような態様で設定される場合、有限のスイッチ分離が、第２のＳＰ２Ｔスイッチ２６２を通した送信漏れ２５９をもたらすかもしれない。
【０１４９】
しかしながら、図９ＡのＲＦシステム２２０とは対照的に、図９ＢのＲＦシステム２５０は、ＨＢ  ＬＮＡの出力に到達する送信漏れ２５９に関連する相互変調を回避できる。たとえば、図９Ｂのダイバーシティモジュール２６０は、ＨＢ処理回路５６によって生成されたＨＢ信号を第２のＳＰ３Ｔスイッチ２７３に提供し、それは次に、アンテナスイッチモジュール２６０のダイバーシティＬＢおよびＨＢ端子ＬＢ／ＨＢ＿Ｄに電気的に結合されている。ＲＦシステムをこのような態様で構成することは、送信漏れ２５９がＨＢ  ＬＮＡ６６の出力に到達することを防止することができる。送信漏れ２５９はＭＢ  ＬＮＡ６５の出力に到達し得るものの、相互変調は、中帯域周波数に比べ、高帯域周波数で悪化し得る。したがって、送信漏れ２５９がＭＢ  ＬＮＡ６５の出力に到達することに関連する性能への影響は、送信漏れ２５９がＨＢ  ＬＮＡ６６の出力に到達することに関連する性能への影響よりも著しく低い。
【０１５０】
ＲＦシステム２５０のさらなる詳細は、前述のものと同様であり得る。
図１０は、ＲＦシステム３００の別の実施例の概略ブロック図である。ＲＦシステム３００は、ダイバーシティモジュール３１０と、アンテナスイッチモジュール３２０と、ＬＢダイバーシティアンテナ３１と、組合せＭＢ／ＨＢダイバーシティアンテナ３２と、ＬＢ一次アンテナ１０１と、組合せＭＢ／ＨＢ一次アンテナ１０２とを含む。
【０１５１】
図１０のダイバーシティモジュール３１０は、図９Ｂのダイバーシティモジュール２６０と、ダイバーシティモジュール２６０がＬＢ処理回路、ＭＢ処理回路、およびＨＢ処理回路の異なる実現化例を含む点以外は同様である。特に、図１０のダイバーシティモジュール３１０は、ＬＢ処理回路３４と、ＭＢ処理回路３５と、ＨＢ処理回路３６とをそれぞれ含む。
【０１５２】
例示されたアンテナスイッチモジュール３２０は、ＳＰ２Ｔスイッチ３３０と、第１のＳＰ３Ｔスイッチ３３１と、第２のＳＰ３Ｔスイッチ３３２と、第３のＳＰ３Ｔスイッチ３３３とを含む。アンテナスイッチモジュール３２０はさらに、ＬＢ一次アンテナ１０１に電気的に結合された第１の一次アンテナ端子ＡＮＴ１＿Ｐと、組合せＭＢ／ＨＢ一次アンテナ１０２に電気的に結合された第２の一次アンテナ端子ＡＮＴ２＿Ｐと、ダイバーシティモジュール３１０の第１の双方向端子ＢＩ１に電気的に結合された第１の双方向端子ＢＩ１と、ダイバーシティモジュール３１０の第２の双方向端子ＢＩ２に電気的に結合された第２の双方向端子ＢＩ２と、一次ＨＢ端子ＨＢ＿Ｐと、一次ＭＢ端子ＭＢ＿Ｐと、一次ＬＢ端子ＬＢ＿Ｐと、ダイバーシティＨＢ端子ＨＢ＿Ｄと、共有ダイバーシティＭＢ／ＨＢ端子ＭＢ／ＨＢ＿Ｄと、ダイバーシティＬＢ端子ＬＢ＿Ｄとを含む。
【０１５３】
図１０に示すように、第１のＳＰ３Ｔスイッチ３３１は、第１の双方向端子ＢＩ１を、一次ＬＢ端子ＬＢ＿Ｐに、ダイバーシティＬＢ端子ＬＢ＿Ｄに、またはダイバーシティＨＢ端子ＨＢ＿Ｄに電気的に接続するために使用可能である。加えて、第２のＳＰ３Ｔスイッチ３３２は、組合せＭＢ／ＨＢ一次アンテナ１０２を、一次ＨＢ端子ＨＢ＿Ｐに、一次ＭＢ端子ＭＢ＿Ｐに、または共有ダイバーシティＭＢ／ＨＢ端子ＭＢ／ＨＢ＿Ｄに電気的に接続するために使用可能である。さらに、第３のＳＰ３Ｔスイッチ３３３は、第２の双方向端子ＢＩ２を、一次ＭＢ端子ＭＢ＿Ｐに、一次ＨＢ端子ＨＢ＿Ｐに、または共有ダイバーシティＭＢ／ＨＢ端子ＭＢ／ＨＢ＿Ｄに電気的に接続するために使用可能である。さらに、ＳＰ２Ｔスイッチ３３０は、ＬＢ一次アンテナ１０１を、一次ＬＢ端子ＬＢ＿Ｐに、またはダイバーシティＬＢ端子ＬＢ＿Ｄに電気的に接続するために使用可能である。
【０１５４】
図１０のＲＦシステム３００のさらなる詳細は、前述のものと同様であり得る。
図９Ｂのダイバーシティモジュール２６０および図１０のダイバーシティモジュール３１０は、図２〜６に示すＬＢ／ＨＢダイプレクサ３７を含むように例示されてはいないものの、図９Ｂのダイバーシティモジュール２６０および／または図１０のダイバーシティモジュール３１０は、ＬＢ／ＨＢダイプレクサを含むように適合可能である。たとえば、一実施例では、図１０の第２のＳＰ３Ｔスイッチ２７３は、ＳＰ２Ｔスイッチを含む代わりに省略され、ＬＢ処理回路３４の出力とＨＢ処理回路３６の出力とを再度組合せて、ＳＰ２Ｔスイッチに提供される組合せＬＢ／ＨＢ信号を生成するために、ＬＢ／ＨＢダイプレクサが含まれる。さらに、ある構成では、アンテナ側多投スイッチは、一度に２つ以上の帯域を選択可能な帯域選択スイッチとして実現可能である。
【０１５５】
図２〜１０に示すＲＦモジュールは、ある端子およびコンポーネントを含むように図示されているが、ここでの教示は他の構成にも適用可能である。たとえば、ここでのモジュールは、明確にするために図面から省略された追加の端子および／またはコンポーネントを含み得る。たとえば、ある実施例では、受信方向で使用されるモジュールの回路および端子が例示されているものの、モジュールは、送信方向に関連する追加の回路を含むように適合可能である。
【０１５６】
用途
上述の実施例のいくつかは、モバイル装置に関する例を提供してきた。しかしながら、実施例の原理および利点は、ＲＦモジュールに対する要望を有する任意の他のシステムまたは装置のために使用可能である。
【０１５７】
そのようなＲＦモジュールは、さまざまな電子装置で実現可能である。電子装置の例は、家電製品、家電製品の一部、電子検査機器などを含み得るものの、それらに限定されない。電子装置の例はまた、メモリチップ、メモリモジュール、光ネットワークまたは他の通信ネットワークの回路、およびディスクドライバ回路を含み得るものの、それらに限定されない。家電製品は、携帯電話、電話、テレビ、コンピュータモニター、コンピュータ、ハンドヘルドコンピュータ、携帯情報端末（personal digital assistant：ＰＤＡ）、電子レンジ、冷蔵庫、自動車、ステレオシステム、カセットレコーダまたはプレーヤ、ＤＶＤプレーヤ、ＣＤプレーヤ、ＶＣＲ、ＭＰ３プレーヤ、ラジオ、カムコーダ、カメラ、デジタルカメラ、ポータブルメモリチップ、洗濯機、乾燥機、洗濯乾燥機、複写機、ファクシミリ機、スキャナ、多機能周辺装置、腕時計、時計などを含み得るものの、それらに限定されない。また、電子装置は未完成品を含み得る。
【０１５８】
結論
文脈上明白に他の意味に解釈すべき場合を除き、明細書および請求項全体を通し、「含む」［含んで」などの用語は、排他的または網羅的な意味とは対照的なものとしての、包括的な意味で、すなわち、「〜を含むもののそれに限定されない」という意味で解釈すべきである。ここに概して使用される「結合される」という用語は、直接接続されるかまたは１つ以上の中間要素によって接続され得る２つ以上の要素を指す。同様に、ここに概して使用される「接続される」という用語は、直接接続されるかまたは１つ以上の中間要素によって接続され得る２つ以上の要素を指す。加えて、「ここに」「上述の」「以下に」という用語、および同様の趣旨の用語は、本願で使用される場合、本願全体を指しており、本願のある特定の部分を指すものではない。文脈上許容される場合、上述の詳細な説明で単数形または複数形を用いた用語はそれぞれ、複数形または単数形も含み得る。２つ以上の項目のリストに関する「または」という用語は、リストの項目のいずれか、リストの項目のすべて、リストの項目の任意の組合せといった、用語のあらゆる解釈を網羅する。
【０１５９】
さらに、とりわけ「可能である」「場合がある」「し得る」「できる」「たとえば」「などの」といった、ここに使用される条件付き文言は概して、特に明記されない限り、または使用される文脈内で他の意味に理解される場合を除き、ある特徴、要素および／または状態を、ある実施例は含み、他の実施例は含まない、ということを伝えるように意図されている。このため、そのような条件付き文言は概して、特徴、要素および／または状態が１つ以上の実施例について多少なりともに必要とされること、もしくは、これらの特徴、要素および／または状態が任意の特定の実施例に含まれるか、または任意の特定の実施例で行なわれるべきかを、作者の入力または促しの有無にかかわらず決定するための論理を必ず含むということを暗示するように意図されてはいない。
【０１６０】
この発明の実施例の上述の詳細な説明は、網羅的であるよう、またはこの発明を上に開示されたとおりの形に限定するように意図されてはいない。この発明の具体的な実施例およびこの発明についての例が、例示的な目的のために上述されているが、当業者であれば認識するように、さまざまな同等の修正がこの発明の範囲内で可能である。たとえば、プロセスまたはブロックは所与の順序で提示されているものの、代替的な実施例は異なる順序で、ステップを有するルーチンを行ない、またはブロックを有するシステムを採用してもよく、いくつかのプロセスまたはブロックは削除され、移動され、追加され、さらに分割され、組合され、および／または修正されてもよい。これらのプロセスまたはブロックの各々は、さまざまな異なるやり方で実現されてもよい。また、プロセスまたはブロックは時折、連続して行なわれるように示されているものの、これらのプロセスまたはブロックはその代りに、並行して行なわれてもよく、または異なる時間に行なわれてもよい。
【０１６１】
ここに提供されるこの発明の教示は、必ずしも上述のシステムにではなく、他のシステムに適用可能である。上述のさまざまな実施例の要素および行為は、さらに別の実施例を提供するために組合せ可能である。
【０１６２】
この発明のある実施例を説明してきたが、これらの実施例は単なる例として提示されたものであり、この開示の範囲を限定するように意図されてはいない。実際、ここに説明された新規の方法およびシステムは、さまざまな他の形で具現化されてもよく、さらに、ここに説明された方法およびシステムの形におけるさまざまな省略、置き換え、および変更が、この開示の精神から逸脱することなく行なわれてもよい。添付された請求項およびそれらの均等物は、この開示の範囲および精神に該当するであろうそのような形または修正を網羅するように意図されている。
【符号の説明】
【０１６３】
１１  モバイル装置、１２、１０３、２４０、２７０、３２０  アンテナスイッチモジュール、１３  送受信機、２２  ダイバーシティアンテナ、２３、３０、５０、８０、１３０、２１０、２３０、２６０、３１０、５００  ダイバーシティモジュール、３１  ＬＢダイバーシティアンテナ、３２  組合せＭＢ／ＨＢダイバーシティアンテナ、３４  ＬＢ処理回路、３５  ＭＢ処理回路、３６  ＨＢ処理回路。
【図１】
2015208007.tif 000003
【図２】
2015208007.tif 000004
【図３】
2015208007.tif 000005
【図４】
2015208007.tif 000006
【図５】
2015208007.tif 000007
【図６】
2015208007.tif 000008
【図７】
2015208007.tif 000009
【図８】
2015208007.tif 000010
【図９Ａ】
2015208007.tif 000011
【図９Ｂ】
2015208007.tif 000012
【図１０】
2015208007.tif 000013
【外国語明細書】
2015208007000001.pdf